(57)【要約】【課題】カスタマイズされた電子機器の製造を容易且つ自動的に行う。【解決手段】ネットワーク上に表示される電子機器画像のキーボードを構成する複数の選択キーのいずれかが通信機器１にて操作されたことに応答して、選択キーの表面上に順次切換表示された電子辞書名データを受信する伝送制御部２５と、この伝送制御部２５により受信された電子辞書名データに対応して予め用意されている辞書データを電子機器画像に対応する実物電子辞書Ｄ内に設けられている電子辞書記憶部Ｍへ書き込むＣＰＵ２１と、伝送制御部２５により受信された電子辞書名データに対応する実物電子辞書Ｄにおける選択キーの表面上に該当する電子辞書名データをマーキング処理するＣＰＵ２１と、を備えた。【選択図】        図３
2004246396.tif 000002
【特許請求の範囲】
【請求項１】
ネットワーク上に表示される電子機器画像のキーボードを構成する複数の選択キーのいずれかが製造依頼元端末にて操作されたことに応答して、当該選択キーの表面上に順次切換表示されたキー操作名を受信する受信手段と、
この受信手段により受信されたキー操作名に対応して予め用意されているコンテンツデータを前記電子機器画像に対応する実物電子機器内に設けられているコンテンツ記憶部へ書き込む書き込み制御手段と、
前記受信手段により受信されたキー操作名に対応する前記実物電子機器における選択キーの表面上に該当するキー操作名をマーキング処理するマーキング処理手段と、
を備えたことを特徴とする電子機器製造支援装置。
【請求項２】
前記電子機器画像におけるキーボードの選択キーと前記実物電子機器の位置座標データとを対応付けて記憶している位置座標データ記憶手段と、
前記キー操作名と当該キー操作名の文字パターンデータとを対応付けて記憶している文字パターンデータ記憶手段と、を備え、
前記マーキング処理手段は、
前記受信手段により受信されたキー操作名に対応する文字パターンデータを前記文字パターンデータ記憶手段から読み出す文字パターンデータ読み出し手段と、
前記受信手段により受信されたキー操作名をマーキングする選択キーの位置座標データを前記位置座標データ記憶手段から読み出す位置座標データ読み出し手段と、
前記文字パターンデータ読み出し手段により読み出された文字パターンデータと前記位置座標データ読み出し手段により読み出された位置座標データとに基づいてマーキングデータを作成するマーキングデータ作成手段と、
を備えたことを特徴とする請求項１記載の電子機器製造支援装置。
【請求項３】
キー操作名とこのキー操作名に対応するコンテンツデータとを対応付けて複数組記憶している記憶手段と、
製造依頼元端末の表示部またはネットワーク上に表示される電子機器画像のキーボード内における複数のキー操作に対する指定操作に応答して、前記製造依頼元端末から送信されてくるキー操作名指定用の指定データを受信する受信手段と、
この受信手段により受信された指定データにより指定されたキー操作名に対応付けられているコンテンツデータを前記記憶手段から読み出し、この読み出されたコンテンツデータを前記電子機器画像に対応する実物電子機器内に設けられているコンテンツ記憶部に書き込む書き込み制御手段と、
前記受信手段により受信された指定データにより指定されたキー操作名を対応する前記実物電子機器の選択キーの表面上にマーキング処理するマーキング処理手段と、
を備えたことを特徴とする電子機器製造支援装置。
【請求項４】
前記電子機器画像におけるキーボードの選択キーと前記実物電子機器の位置座標データとを対応付けて記憶している位置座標データ記憶手段と、
前記キー操作名と当該キー操作名をマーキングするための文字パターンデータとを対応付けて記憶している文字パターンデータ記憶手段と、を備え、
前記マーキング処理手段は、
前記受信手段により受信された指定データにより指定されたキー操作名に対応する文字パターンデータを前記文字パターンデータ記憶手段から読み出す文字パターンデータ読み出し手段と、
前記前記受信手段により受信された指定データにより指定されたキー操作名をマーキングする選択キーの位置座標データを前記位置座標データ記憶手段から読み出す位置座標データ読み出し手段と、
前記文字パターンデータ読み出し手段により読み出された文字パターンデータと前記位置座標データ読み出し手段により読み出された位置座標データとに基づいてマーキングデータを作成するマーキングデータ作成手段と、
を備えたことを特徴とする請求項３に記載の電子機器製造支援装置。
【請求項５】
前記選択キーと、前記選択キーにマーキングされたキー操作名に対応するコンテンツデータとを対応付けたキー入力処理テーブルを作成して、前記コンテンツ記憶部に記憶させるキー入力処理テーブル作成手段を備えることを特徴とする請求項１〜４の何れか一項に記載の電子機器製造支援装置。
【請求項６】
前記製造依頼元端末にて選択されて送信された電子機器ハードウェア選択データに対応する電子機器画像を作成する電子機器画像作成手段と、
この電子機器画像作成手段により作成された電子機器画像を前記製造依頼元端末に送信する送信手段と、
を備えたことを特徴とする請求項１〜５の何れか一項に記載の電子機器製造支援装置。
【請求項７】
電子機器ハードウェア名と当該電子機器ハードウェアの単価とが対応付けられて記憶されている第１の単価記憶手段と、
前記キー操作名と当該キー操作名に対応するコンテンツデータの単価とが対応付けられて記憶されている第２の単価記憶手段と、
受信された電子機器ハードウェア選択データに対応する電子機器ハードウェアの単価を第１の単価記憶手段から読み出すとともに、受信されたキー操作名に対応するコンテンツデータの単価を第２の単価記憶手段から読み出す単価読み出し手段と、
この単価読み出し手段により読み出された単価に基づいて当該電子機器の価格を算出する価格算出手段と、
この価格算出手段により算出された価格を前記製造依頼元端末に送信する価格送信手段と、
を備えたことを特徴とする請求項６に電子機器製造支援装置。
【請求項８】
前記価格算出手段により算出された価格を課金する課金手段を備えたことを特徴とする請求項７に電子機器製造支援装置。
【請求項９】
辞書名と電子辞書データとを対応付けて複数組記憶している記憶手段と、
製造依頼元端末の表示部に表示されている電子辞書画像のキーボード内における各辞書名選択キーに対する指定操作がなされたことに応答して、前記製造依頼元端末から送信されてきた辞書名指定データを受信する受信手段と、
この受信手段により受信された辞書名指定データにより指定された辞書名に対応付けられている電子辞書データを前記記憶手段から読み出し、この読み出された電子辞書データを前記電子辞書画像に対応する実物電子辞書内に設けられている電子辞書記憶部に書き込む書き込み制御手段と、
前記受信手段により受信された辞書名指定データにより指定された辞書名を対応する前記実物電子辞書の選択キーの表面上にマーキング処理するマーキング処理手段と、
を備えたことを特徴とする電子機器製造支援装置。
【請求項１０】
前記製造依頼元端末から送信されてきた氏名データを受信する氏名データ受信手段と、
前記氏名データを前記実物電子機器の表面上にマーキング処理する氏名マーキング処理手段と、
を備えたことを特徴とする請求項１〜８の何れか一項に記載の電子機器製造支援装置。
【請求項１１】
複数のキー操作名が表示されている選択キーを備えている電子機器画像を表示させる第１の表示制御手段と、
この第１の表示制御手段の制御により表示されている前記複数の選択キーのいずれかが指定操作される都度、当該指定操作された選択キーの表面に表示されるキー操作名を他のキー操作名へ順次切り換え、この切り換えされた他のキー操作名を表示させる第２の表示制御手段と、
この第２の表示制御手段の制御により切り換え表示されたキー操作名を電子機器製造支援装置に向けて送信する送信手段と、
この送信手段によりキー操作名を送信した後、前記電子機器製造支援装置から当該送信されたキー操作名に対応する選択キーを備えている電子機器画像または当該電子機器画像に対応する実物電子機器に関する製造関連情報を受信する受信手段と、
を備えたことを特徴とする製造依頼元端末装置。
【請求項１２】
複数種類の言語を表示させる第１の表示制御手段と、
この第１の表示制御手段の制御により表示されている前記複数種類の言語のなかから使用しようとする使用言語を指定する言語指定手段と、
この言語指定手段により指定された使用言語を用いた複数のキー操作名が表示されている選択キーを備えている電子機器画像を表示させる第２の表示制御手段と、
この第２の表示制御手段の制御により表示されている前記複数の選択キーのいずれかが指定操作される都度、当該指定操作された選択キーの表面に表示されるキー操作名を他のキー操作名へ順次切り換え、この切り換えされた他のキー操作名を表示させる第３の表示制御手段と、
この第３の表示制御手段の制御により切り換え表示されたキー操作名を電子機器製造支援装置に向けて送信する送信手段と、
この送信手段によりキー操作名を送信した後、前記電子機器製造支援装置から当該送信されたキー操作名に対応する選択キーを備えている実物電子機器に関する製造関連情報を受信する受信手段と、
を備えたことを特徴とする製造依頼元端末装置。
【請求項１３】
コンピュータに、
ネットワーク上に表示される電子機器画像のキーボードを構成する複数の選択キーのいずれかが製造依頼元端末にて操作されたことに応答して、当該選択キーの表面上に順次切換表示されたキー操作名を受信する受信機能と、
この受信機能により受信されたキー操作名に対応して予め用意されているコンテンツデータを前記電子機器画像に対応する実物電子機器内に設けられているコンテンツ記憶部へ書き込む書き込み制御機能と、
前記受信機能により受信されたキー操作名に対応する前記実物電子機器における選択キーの表面上にマーキング処理を施すマーキング処理機能と、
を実現させるための電子機器製造支援プログラム。
【請求項１４】
コンピュータに、
キー操作名とこのキー操作名に対応するコンテンツデータとを対応付けて記憶手段に記憶させる記憶制御機能と、
製造依頼元端末の表示部またはネットワーク上に表示される電子機器画像のキーボード内における複数のキー操作に対する指定操作に応答して、前記製造依頼元端末から送信されてくるキー操作名指定用の指定データを受信する受信機能と、
この受信機能により受信された指定データにより指定されたキー操作名に対応付けられているコンテンツデータを前記記憶手段から読み出し、この読み出されたコンテンツデータを前記電子機器画像に対応する実物電子機器内に設けられているコンテンツ記憶部に書き込む書き込み制御手段と、
前記受信手段により受信された指定データにより指定されたキー操作名を対応する前記実物電子機器の選択キーの表面上にマーキング処理するマーキング処理機能と、
を実現させるための電子機器製造支援プログラム。
【請求項１５】
コンピュータに、
辞書名と電子辞書データとを対応付けて記憶手段に複数組記憶させる記憶制御機能と、
製造依頼元端末の表示部に表示されている電子辞書画像のキーボード内における各辞書名選択キーに対する指定操作がなされたことに応答して、前記製造依頼元端末から送信されてきた辞書名指定データを受信する受信機能と、
この受信機能により受信された辞書名指定データにより指定された辞書名に対応付けられている電子辞書データを前記記憶手段から読み出し、この読み出された電子辞書データを前記電子辞書画像に対応する実物電子辞書内に設けられている電子辞書記憶部に書き込む書き込み制御機能と、
前記受信機能により受信された辞書名指定データにより指定された辞書名を対応する前記実物電子辞書の選択キーの表面上にマーキング処理するマーキング処理機能と、
を実現させるための電子機器製造支援プログラム。
【請求項１６】
コンピュータに、
複数のキー操作名が表示されている選択キーを備えている電子機器画像を表示させる第１の表示制御機能と、
この第１の表示制御機能の制御により表示されている前記複数の選択キーのいずれかが指定操作される都度、当該指定操作された選択キーの表面に表示されるキー操作名を他のキー操作名へ順次切り換え、この切り換えされた他のキー操作名を表示させる第２の表示制御機能と、
この第２の表示制御機能の制御により切り換え表示されたキー操作名を電子機器製造支援装置に向けて送信する送信機能と、
この送信機能によりキー操作名を送信した後、前記電子機器製造支援装置から当該送信されたキー操作名に対応する選択キーを備えている電子機器画像または当該電子機器画像に対応する実物電子機器に関する製造関連情報を受信する受信機能と、
を実現させるための製造依頼元端末プログラム。
【請求項１７】
コンピュータに、
複数種類の言語を表示させる第１の表示制御機能と、
この第１の表示制御機能の制御により表示されている前記複数種類の言語のなかから使用しようとする使用言語を指定する言語指定機能と、
この言語指定機能により指定された使用言語を用いた複数のキー操作名が表示されている選択キーを備えている電子機器画像を表示させる第２の表示制御機能と、
この第２の表示制御機能の制御により表示されている前記複数の選択キーのいずれかが指定操作される都度、当該指定操作された選択キーの表面に表示されるキー操作名を他のキー操作名へ順次切り換え、この切り換えされた他のキー操作名を表示させる第３の表示制御機能と、
この第３の表示制御機能の制御により切り換え表示されたキー操作名を電子機器製造支援装置に向けて送信する送信機能と、
この送信機能によりキー操作名を送信した後、前記電子機器製造支援装置から当該送信されたキー操作名に対応する選択キーを備えている実物電子機器に関する製造関連情報を受信する受信機能と、
を実現させるための製造依頼元端末プログラム。
【発明の詳細な説明】
【０００１】
【発明の属する技術分野】
本発明は、電子機器製造支援装置、製造依頼元端末装置、電子機器製造支援プログラム及び製造依頼元端末プログラムに関する。
【０００２】
【従来の技術】
近年、複数の電子コンテンツデータを内蔵した電子辞書、電子辞典、電子事典、電子英会話集、電子教科書、電子書籍などのマルチメデア型電子機器が広く製造、販売されている。これらの電子機器は、内蔵される電子コンテンツデータや機器形状が製造時に定められており、顧客は、必要とする電子コンテンツデータを備える電子機器を選択して購入するようになっている。
しかし、顧客側が必要とする全ての電子コンテンツデータを備えた電子機器が製造、販売されていない場合もある。また、顧客にとって必要とする全ての電子コンテンツデータを備えてはいるが、それ以外の不必要な電子コンテンツデータまで備えた電子機器しか製造、販売されていない場合もある。
そこで、顧客側が電子機器の仕様を自らカスタマイズし、顧客がカスタマイズした仕様に応じて製造者側が電子機器を製造、販売するシステムの出現が望まれていた。
上記要望を実現すべく、例えば、顧客側がカスタマイズした仕様に関する情報を製造者側がネットワークを介して受信し、その仕様に基づいて手帳を製造する手帳の注文システムを適用することが考えられる（例えば、特許文献１参照）。
【０００３】
【特許文献１】
特開２００２−９９７８７号公報
【０００４】
【発明が解決しようとする課題】
しかしながら、内蔵する電子コンテンツデータに対応してキーボードのキーの割付が変化する電子機器の場合、電子コンテンツデータの選択に対応してキーボードへのマーキングも変わってくるので、特許文献１に開示されたシステムを用いただけでは、カスタマイズされた電子機器を製造することは難しいという問題があった。
即ち、このような電子機器の場合、選択される電子コンテンツデータに応じてソフトウェア面とハードウェア面の仕様をカスタマイズしなければならず、それらを容易且つ自動的に行うことは、既知のシステムでは実現されていなかった。
【０００５】
そこで、本発明の課題は、カスタマイズされた電子機器の製造を容易且つ自動的に行うことができる電子機器製造支援装置、製造依頼元端末装置、電子機器製造支援プログラム及び製造依頼元端末プログラムを提供することである。
【０００６】
【課題を解決するための手段】
上記課題を解決するため、請求項１に記載の発明は、ネットワーク（例えば、図１，３のネットワーク３）上に表示される電子機器画像のキーボードを構成する複数の選択キーのいずれかが製造依頼元端末（例えば、図１，２の通信機器１）にて操作されたことに応答して、当該選択キーの表面上に順次切換表示されたキー操作名を受信する受信手段（例えば、図２の伝送制御部２５、図７のステップＳ１６）と、この受信手段により受信されたキー操作名に対応して予め用意されているコンテンツデータを前記電子機器画像に対応する実物電子機器（例えば、図４の実物電子辞書Ｄ）内に設けられているコンテンツ記憶部（例えば、図４の電子辞書記憶部Ｍ）へ書き込む書き込み制御手段（例えば、図２のＣＰＵ２１、図２４のステップＳ９３）と、前記受信手段により受信されたキー操作名に対応する前記実物電子機器における選択キーの表面上に該当するキー操作名をマーキング処理するマーキング処理手段（例えば、図２のＣＰＵ２１、図２４のステップＳ９１，Ｓ９２）と、を備えたことを特徴とする。
【０００７】
請求項１に記載の発明によれば、受信手段がネットワーク上に表示される電子機器画像のキーボードを構成する複数の選択キーのいずれかが製造依頼元端末にて操作されたことに応答して、当該選択キーの表面上に順次切換表示されたキー操作名を受信する。そして、書き込み制御手段が、受信手段により受信されたキー操作名に対応して予め用意されているコンテンツデータを電子機器画像に対応する実物電子機器内に設けられているコンテンツ記憶部へ書き込む。更に、マーキング処理手段が受信手段により受信されたキー操作名に対応する実物電子機器における選択キーの表面上に該当するキー操作名をマーキング処理する。
よって、顧客毎に電子機器に求める機能が異なっていても、顧客がキー操作名を選択するだけで選択されるコンテンツデータに応じて電子機器のハードウェアをカスタマイズすることができるので、電子機器のソフト面とハード面とを容易に、且つ自動的にカスタマイズすることができる。
【０００８】
請求項２に記載の発明は、請求項１記載の電子機器製造支援装置（例えば、図１，３の製造支援サーバ２）において、
前記電子機器画像におけるキーボードの選択キーと前記実物電子機器の位置座標データとを対応付けて記憶している位置座標データ記憶手段（例えば、図２の位置座標データ記憶部２３１）と、前記キー操作名と当該キー操作名の文字パターンデータとを対応付けて記憶している文字パターンデータ記憶手段（例えば、図２の文字パターンデータ記憶部２３２）と、を備え、前記マーキング処理手段は、前記受信手段により受信されたキー操作名に対応する文字パターンデータを前記文字パターンデータ記憶手段から読み出す文字パターンデータ読み出し手段（例えば、図２のＣＰＵ２１、図１６のステップＳ５９）と、前記受信手段により受信されたキー操作名をマーキングする選択キーの位置座標データを前記位置座標データ記憶手段から読み出す位置座標データ読み出し手段（例えば、図２のＣＰＵ２１、図１６のステップＳ６２，Ｓ６３）と、前記文字パターンデータ読み出し手段により読み出された文字パターンデータと前記位置座標データ読み出し手段により読み出された位置座標データとに基づいてマーキングデータを作成するマーキングデータ作成手段（例えば、図２のＣＰＵ２１、図１６のステップＳ６７）と、を備えたことを特徴とする。
【０００９】
請求項２に記載の発明によれば、位置座標データ記憶手段は、電子機器画像におけるキーボードの選択キーと実物電子機器の位置座標データとを対応付けて記憶し、文字パターンデータ記憶手段は、キー操作名と当該キー操作名の文字パターンデータとを対応付けて記憶している。そして、マーキング処理手段によるマーキング処理は、文字パターンデータ読み出し手段が受信手段により受信されたキー操作名に対応する文字パターンデータを文字パターンデータ記憶手段から読み出し、位置座標データ読み出し手段が受信手段により受信されたキー操作名をマーキングする選択キーの位置座標データを位置座標データ記憶手段から読み出す。更に、マーキングデータ作成手段が、文字パターンデータ読み出し手段により読み出された文字パターンデータと位置座標データ読み出し手段により読み出された位置座標データとに基づいてマーキングデータを作成する。
よって、請求項１に記載の発明と同様の効果が得られることは無論のこと、電子機器のハードウェアのマーキングを正確に行うことができる。
【００１０】
請求項３に記載の発明は、キー操作名とこのキー操作名に対応するコンテンツデータとを対応付けて複数組記憶している記憶手段（例えば、図２の記録媒体２３）と、製造依頼元端末（例えば、図１，２の通信機器１）の表示部（１４）またはネットワーク（３）上に表示される電子機器画像のキーボード内における複数のキー操作に対する指定操作に応答して、前記製造依頼元端末から送信されてくるキー操作名指定用の指定データを受信する受信手段（例えば、図２の伝送制御部２５、図７のステップＳ１６）と、この受信手段により受信された指定データにより指定されたキー操作名に対応付けられているコンテンツデータを前記記憶手段から読み出し、この読み出されたコンテンツデータを前記電子機器画像に対応する実物電子機器（例えば、図４の実物電子辞書Ｄ）内に設けられているコンテンツ記憶部（電子辞書記憶部Ｍ）に書き込む書き込み制御手段（例えば、図２のＣＰＵ２１、図２４のステップＳ９３）と、前記受信手段により受信された指定データにより指定されたキー操作名を対応する前記実物電子機器の選択キーの表面上にマーキング処理するマーキング処理手段（例えば、図２のＣＰＵ２１、図２４のステップＳ９１，Ｓ９２）と、を備えたことを特徴とする。
【００１１】
請求項３に記載の発明によれば、受信手段が製造依頼元端末の表示部またはネットワーク上に表示される電子機器画像のキーボード内における複数のキー操作に対する指定操作に応答して、製造依頼元端末から送信されてくるキー操作名指定用の指定データを受信する。この受信手段により受信された指定データにより指定されたキー操作名に対応付けられているコンテンツデータをキー操作名とこのキー操作名に対応するコンテンツデータとを対応付けて複数組記憶している記憶手段から読み出す。そして、書き込み手段が読み出されたコンテンツデータを電子機器画像に対応する実物電子機器内に設けられているコンテンツ記憶部に書き込み、マーキング処理手段が受信手段により受信された指定データにより指定されたキー操作名を対応する実物電子機器の選択キーの表面上にマーキング処理する。
よって、顧客毎に電子機器に求める機能が異なっても、顧客によるキー操作に対する指定操作によって選択されるコンテンツデータに応じて電子機器のハードウェアをカスタマイズすることができるので、電子機器のソフト面とハード面とを容易に、且つ自動的にカスタマイズすることができる。
【００１２】
請求項４に記載の発明は、請求項３記載の電子機器製造支援装置において、
前記電子機器画像におけるキーボードの選択キーと前記実物電子機器の位置座標データとを対応付けて記憶している位置座標データ記憶手段（例えば、図２の位置座標データ記憶部２３１）と、前記キー操作名と当該キー操作名をマーキングするための文字パターンデータとを対応付けて記憶している文字パターンデータ記憶手段（例えば、図２の文字パターン記憶部２３２）と、を備え、前記マーキング処理手段は、前記受信手段により受信された指定データにより指定されたキー操作名に対応する文字パターンデータを前記文字パターンデータ記憶手段から読み出す文字パターンデータ読み出し手段（例えば、図２のＣＰＵ２１、図１６のステップＳ５９）と、前記受信手段により受信された指定データにより指定されたキー操作名をマーキングする選択キーの位置座標データを前記位置座標データ記憶手段から読み出す位置座標データ読み出し手段（例えば、図２のＣＰＵ２１、図１６のステップＳ６２，Ｓ６３）と、前記文字パターンデータ読み出し手段により読み出された文字パターンデータと前記位置座標データ読み出し手段により読み出された位置座標データとに基づいてマーキングデータを作成するマーキングデータ作成手段（例えば、図２のＣＰＵ２１、図１６のステップＳ６７）と、を備えたことを特徴とする。
【００１３】
請求項４に記載の発明によれば、文字パターンデータ読み出し手段が、受信手段により受信された指定データにより指定されたキー操作名に対応する文字パターンデータをキー操作名と当該キー操作名をマーキングするための文字パターンデータとを対応付けて記憶している文字パターンデータ記憶手段から読み出す。そして、位置座標データ読み出し手段が、受信手段により受信された指定データにより指定されたキー操作名をマーキングする選択キーの位置座標データを電子機器画像におけるキーボードの選択キーと実物電子機器の位置座標データとを対応付けて記憶している前記位置座標データ記憶手段から読み出す。更に、マーキングデータ作成手段が、文字パターンデータ読み出し手段により読み出された文字パターンデータと位置座標データ読み出し手段により読み出された位置座標データとに基づいてマーキングデータを作成する。
よって、請求項３に記載の発明と同様の効果が得られることは無論のこと、特に、電子機器のハードウェアのマーキングを正確に行うことができる。
【００１４】
請求項５に記載の発明は、請求項１〜４の何れか一項に記載の電子機器製造支援装置において、
前記選択キーと、前記選択キーにマーキングされたキー操作名に対応するコンテンツデータとを対応付けたキー入力処理テーブルを作成して、前記コンテンツ記憶部（例えば、図４の電子辞書記憶部Ｍ）に記憶させるキー入力処理テーブル作成手段（例えば、図２のＣＰＵ２１、図８のステップＳ３６）を備えることを特徴とする。
【００１５】
請求項５に記載の発明によれば、キー入力処理テーブル作成手段が、選択キーと、選択キーにマーキングされたキー操作名に対応するコンテンツデータとを対応付けたキー入力処理テーブルを作成して、コンテンツ記憶部に記憶させる。
よって、これにより、カスタマイズされたソフトウェアとハードウェアとの対応付けを容易且つ自動的に行うことができる。
【００１６】
請求項６に記載の発明は、請求項１〜５の何れか一項に記載の電子機器製造支援装置において、
前記製造依頼元端末にて選択されて送信された電子機器ハードウェア選択データに対応する電子機器画像を作成する電子機器画像作成手段（例えば、図２のＣＰＵ２１、図７のステップＳ１８）と、この電子機器画像作成手段により作成された電子機器画像を前記製造依頼元端末に送信する送信手段（例えば、図２の伝送制御部２５、図７のステップＳ１９）と、を備えたことを特徴とする。
【００１７】
請求項６に記載の発明によれば、電子機器画像作成手段が製造依頼元端末にて選択されて送信された電子機器ハードウェア選択データに対応する電子機器画像を作成し、送信手段が作成された電子機器画像を製造依頼元端末に送信する。
よって、顧客に、実物の電子機器と同様の電子機器画像を見せながらカスタマイズさせることができるので、製造される電子機器をイメージしやすくなり、ユーザーフレンドリーなサービスを提供できる。
【００１８】
請求項７に記載の発明は、請求項６に記載の電子機器製造支援装置において、
電子機器ハードウェア名と当該電子機器ハードウェアの単価とが対応付けられて記憶されている第１の単価記憶手段（例えば、図５の電子辞書ハードウェア単価データ記憶領域２３ｂ）と、前記キー操作名と当該キー操作名に対応するコンテンツデータの単価とが対応付けられて記憶されている第２の単価記憶手段（例えば、図５の電子辞書データ単価データ記憶領域２３ｃ）と、受信された電子機器ハードウェア選択データに対応する電子機器ハードウェアの単価を第１の単価記憶手段から読み出すとともに、受信されたキー操作名に対応するコンテンツデータの単価を第２の単価記憶手段から読み出す単価読み出し手段（例えば、図２のＣＰＵ２１、図８のステップＳ２８）と、この単価読み出し手段により読み出された単価に基づいて当該電子機器の価格を算出する価格算出手段（例えば、図２のＣＰＵ２１、図８のステップＳ２７）と、この価格算出手段により算出された価格を前記製造依頼元端末に送信する価格送信手段（例えば、図２の伝送制御部２５，図８のステップＳ２８）と、を備えたことを特徴とする。
【００１９】
請求項７に記載の発明によれば、単価読み出し手段が、受信された電子機器ハードウェア選択データに対応する電子機器ハードウェアの単価を、電子機器ハードウェア名と当該電子機器ハードウェアの単価とが対応付けられて記憶されている第１の単価記憶手段から読み出すとともに、受信されたキー操作名に対応するコンテンツデータの単価を、キー操作名と当該キー操作名に対応するコンテンツデータの単価とが対応付けられて記憶されている第２の単価記憶手段から読み出す。そして、価格算出手段が、読み出された単価に基づいて当該電子機器の価格を算出し、価格送信手段が、算出された価格を製造依頼元端末に送信する。
よって、顧客は電子機器のカスタマイズをしながらその価格を知ることができるので、よりユーザーフレンドリーなサービスを提供できる。
【００２０】
請求項８に記載の発明は、請求項７に記載の電子機器製造支援装置において、
前記価格算出手段により算出された価格を課金する課金手段（例えば、図２のＣＰＵ２１、図６のステップＳ５）を備えたことを特徴とする。
【００２１】
請求項８に記載の発明によれば、課金手段が価格算出手段により算出された価格を課金するので、顧客は電子機器に対する金銭の支払いを容易なものとすることができる。
【００２２】
請求項９に記載の発明は、辞書名と電子辞書データとを対応付けて複数組記憶している記憶手段（例えば、図２の記録媒体２３）と、製造依頼元端末の表示部に表示されている電子辞書画像のキーボード内における各辞書名選択キーに対する指定操作がなされたことに応答して、前記製造依頼元端末から送信されてきた辞書名指定データを受信する受信手段（例えば、図２の伝送制御部２５、図７のステップＳ１６）と、この受信手段により受信された辞書名指定データにより指定された辞書名に対応付けられている電子辞書データを前記記憶手段から読み出し、この読み出された電子辞書データを前記電子辞書画像に対応する実物電子辞書（例えば、図４の実物電子辞書Ｄ）内に設けられている電子辞書記憶部（例えば、図４の電子辞書記憶部Ｍ）に書き込む書き込み制御手段（例えば、図２のＣＰＵ２１、図２４のステップＳ９３）と、前記受信手段により受信された辞書名指定データにより指定された辞書名を対応する前記実物電子辞書の選択キーの表面上にマーキング処理するマーキング処理手段（例えば、図２のＣＰＵ２１、図２４のステップＳ９１，Ｓ９２）と、を備えたことを特徴とする。
【００２３】
請求項９に記載の発明によれば、受信手段が製造依頼元端末の表示部に表示されている電子辞書画像のキーボード内における各辞書名選択キーに対する指定操作がなされたことに応答して、製造依頼元端末から送信されてきた辞書名指定データを受信し、受信された辞書名指定データにより指定された辞書名に対応付けられている電子辞書データを辞書名と電子辞書データとを対応付けて複数組記憶している記憶手段から読み出す。更に、書き込み制御手段が、読み出された電子辞書データを電子辞書画像に対応する実物電子辞書内に設けられている電子辞書記憶部に書き込み、マーキング処理手段が、受信手段により受信された辞書名指定データにより指定された辞書名を対応する実物電子辞書の選択キーの表面上にマーキング処理する。
よって、顧客毎に電子機器に求める機能が異なっても、顧客が辞書名選択キーを選択するだけで選択されるコンテンツデータに応じて電子機器のハードウェアをカスタマイズすることができるので、電子機器のソフト面とハード面とを容易に、且つ自動的にカスタマイズすることができる。
【００２４】
請求項１０に記載の発明は、請求項１〜８の何れか一項に記載の電子機器製造支援装置において、
前記製造依頼元端末から送信されてきた氏名データを受信する氏名データ受信手段（例えば、図２の伝送制御部２５）と、前記氏名データを前記実物電子機器の表面上にマーキング処理する氏名マーキング処理手段（例えば、図２のＣＰＵ２１、図２４のステップＳ９１）と、を備えることを特徴とする。
【００２５】
請求項１０に記載の発明によれば、氏名データ受信手段が製造依頼元端末から送信されてきた氏名データを受信し、氏名マーキング処理手段が氏名データを実物電子機器の表面上にマーキング処理する。
よって、氏名入りの電子機器を製造することができ、他人の電子機器との識別力を発揮できる。
【００２６】
請求項１１に記載の発明は、複数のキー操作名が表示されている選択キーを備えている電子機器画像を表示させる第１の表示制御手段（例えば、図３のＣＰＵ１１、図７のステップＳ２０）と、この第１の表示制御手段の制御により表示されている前記複数の選択キーのいずれかが指定操作される都度、当該指定操作された選択キーの表面に表示されるキー操作名を他のキー操作名へ順次切り換え、この切り換えされた他のキー操作名を表示させる第２の表示制御手段（例えば、図３のＣＰＵ１１、図７のステップＳ２０；図９のステップＳ１４１〜ステップＳ１４６、ステップＳ１４１ａ、１４１ｂ〜ステップＳ１４６ａ、１４６ｂ）と、この第２の表示制御手段の制御により切り換え表示されたキー操作名を電子機器製造支援装置（例えば、図１，３の製造支援サーバ２）に向けて送信する送信手段（例えば、図３の伝送制御部１３、図９のステップＳ１４９）と、この送信手段によりキー操作名を送信した後、前記電子機器製造支援装置から当該送信されたキー操作名に対応する選択キーを備えている電子機器画像または当該電子機器画像に対応する実物電子機器（例えば、図４の実物電子辞書Ｄ）に関する製造関連情報を受信する受信手段（例えば、図３の伝送制御部１３、図９のステップＳ１５３）と、を備えたことを特徴とする。
【００２７】
請求項１１に記載の発明によれば、第１の表示制御手段が、複数のキー操作名が表示されている選択キーを備えている電子機器画像を表示させ、第２の表示制御手段が、表示されている複数の選択キーのいずれかが指定操作される都度、当該指定操作された選択キーの表面に表示されるキー操作名を他のキー操作名へ順次切り換え、この切り換えされた他のキー操作名を表示させる。そして、送信手段が切り換え表示されたキー操作名を電子機器製造支援装置に向けて送信し、受信手段が、電子機器製造支援装置から当該送信されたキー操作名に対応する選択キーを備えている電子機器画像または当該電子機器画像に対応する実物電子機器に関する製造関連情報を受信する。
よって、製造依頼元においては、電子機器画像に表示されたキー操作名を指定するだけで、電子機器製造支援装置から当該送信されたキー操作名に対応する選択キーを備えている電子機器画像または当該電子機器画像に対応する実物電子機器に関する製造関連情報を受信することができるので、カスタマイズされた電子機器の実際の内容を容易に確認することができることとなって、製造依頼元側は簡単にしかも安心してカスタマイズ電子機器の製造を注文することができる。
【００２８】
請求項１２に記載の発明は、複数種類の言語を表示させる第１の表示制御手段（例えば、図２６のＣＰＵ１１１、図２８のステップＳ２２５；図３１（ａ））と、この第１の表示制御手段の制御により表示されている前記複数種類の言語のなかから使用しようとする使用言語を指定する言語指定手段（例えば、図２６の入力部１１５、図３１のマウスポインタＰ）と、この言語指定手段により指定された使用言語を用いた複数のキー操作名が表示されている選択キーを備えている電子機器画像を表示させる第２の表示制御手段（例えば、図２６のＣＰＵ１２１、図２８のステップＳ２２５；図３２（ａ））と、この第２の表示制御手段の制御により表示されている前記複数の選択キーのいずれかが指定操作される都度、当該指定操作された選択キーの表面に表示されるキー操作名を他のキー操作名へ順次切り換え、この切り換えされた他のキー操作名を表示させる第３の表示制御手段（例えば、図２６のＣＰＵ１１１、図３０のステップＳ１０１−Ｓ１０６、ステップＳ１０１ａ、１０１ｂ〜ステップＳ１０６ａ、１０６ｂ）と、この第３の表示制御手段の制御により切り換え表示されたキー操作名を電子機器製造支援装置に向けて送信する送信手段（例えば、図２６の伝送制御部１２５、図３０のステップＳ１０９）と、この送信手段によりキー操作名を送信した後、前記電子機器製造支援装置から当該送信されたキー操作名に対応する選択キーを備えている実物電子機器（例えば、図４の実物電子辞書Ｄ）に関する製造関連情報を受信する受信手段（例えば、図２６の伝送制御部１２５、図３０のステップＳ１１３）と、を備えたことを特徴とする。
【００２９】
請求項１２に記載の発明によれば、第１の表示制御手段が、複数種類の言語を表示させ、言語指定手段が複数種類の言語のなかから使用しようとする使用言語を指定し、第２の表示制御手段が、指定された使用言語を用いた複数のキー操作名が表示されている選択キーを備えている電子機器画像を表示させ、第３の表示制御手段が、表示されている複数の選択キーのいずれかが指定操作される都度、当該指定操作された選択キーの表面に表示されるキー操作名を他のキー操作名へ順次切り換え、この切り換えされた他のキー操作名を表示させる。そして、送信手段が切り換え表示されたキー操作名を電子機器製造支援装置に向けて送信し、受信手段が、電子機器製造支援装置から当該送信されたキー操作名に対応する選択キーを備えている実物電子機器に関する製造関連情報を受信する。
よって、使用する言語がまちまちの製造依頼元に対しても、個々の製造依頼元に適合した言語を用いた複数のキー操作名が表示されている選択キーを備えている電子機器画像を表示させることができる。このため、カスタマイズされる電子機器の実際の表示形態、表示内容を事前に確認することができることとなって、カスタマイズされる実物電子機器の製造を安心して注文することができる。
【００３０】
請求項１３に記載の発明は、コンピュータに、ネットワーク（例えば、図１，３のネットワーク３）上に表示される電子機器画像のキーボードを構成する複数の選択キーのいずれかが製造依頼元端末（例えば、図１，３の通信機器１）にて操作される度に、当該選択キーの表面上に順次切換表示されたキー操作名を受信する受信機能（例えば、図２の受信プログラム２２１、図９のステップＳ１５０）と、この受信機能により受信されたキー操作名に対応して予め用意されているコンテンツデータを前記電子機器画像に対応する実物電子機器（例えば、図４の実物電子辞書Ｄ）内に設けられているコンテンツ記憶部（例えば、図４の電子辞書記憶部Ｍ）へ書き込む書き込み制御機能（例えば、図２の書き込み制御プログラム２２２、図２４のステップＳ９３）と、前記受信機能により受信されたキー操作名に対応する前記実物電子機器における選択キーの表面上にマーキング処理を施すマーキング処理機能（例えば、図２のマーキング処理プログラム２２３、図２４のステップＳ９１，Ｓ９２）と、を実現させることを特徴とする。
【００３１】
請求項１３に記載の発明によれば、受信機能がネットワーク上に表示される電子機器画像のキーボードを構成する複数の選択キーのいずれかが製造依頼元端末にて操作されたことに応答して、当該選択キーの表面上に順次切換表示されたキー操作名を受信する。そして、書き込み制御機能が、受信機能により受信されたキー操作名に対応して予め用意されているコンテンツデータを電子機器画像に対応する実物電子機器内に設けられているコンテンツ記憶部へ書き込む。更に、マーキング処理機能が受信機能により受信されたキー操作名に対応する実物電子機器における選択キーの表面上に該当するキー操作名をマーキング処理する。
よって、顧客毎に電子機器に求める機能が異なっても、選択されるコンテンツデータに応じて電子機器のハードウェアをカスタマイズすることができるので、電子機器のソフト面とハード面とを容易に、且つ自動的にカスタマイズすることができる。
【００３２】
請求項１４に記載の発明は、コンピュータに、キー操作名とこのキー操作名に対応するコンテンツデータとを対応付けて記憶手段に記憶させる記憶制御機能（例えば、図２の記憶制御プログラム２２４、図８のステップＳ１５０）と、製造依頼元端末（例えば、図１，３の通信機器１）の表示部（例えば、図１，３の表示部１４）またはネットワーク（例えば、図１，３のネットワーク３）上に表示される電子機器画像のキーボード内における複数のキー操作に対する指定操作に応答して、前記製造依頼元端末から送信されてくるキー操作名指定用の指定データを受信する受信機能（例えば、図２の受信プログラム２２１、図８のステップＳ１５０）と、この受信機能により受信された指定データにより指定されたキー操作名に対応付けられているコンテンツデータを前記記憶手段から読み出し、この読み出されたコンテンツデータを前記電子機器画像に対応する実物電子機器（例えば、図４の実物電子辞書Ｄ）内に設けられているコンテンツ記憶部（例えば、図４の電子辞書記憶部Ｍ）に書き込む書き込み制御機能（例えば、図２の書き込み制御プログラム２２２、図２４のステップＳ９３）と、前記受信機能により受信された指定データにより指定されたキー操作名を対応する前記実物電子機器の選択キーの表面上にマーキング処理するマーキング処理機能（例えば、図２のマーキング処理プログラム２２３、図２４のステップＳ９１，Ｓ９２）と、を実現させることを特徴とする。
【００３３】
請求項１４に記載の発明によれば、受信機能が製造依頼元端末の表示部またはネットワーク上に表示される電子機器画像のキーボード内における複数のキー操作に対する指定操作に応答して、製造依頼元端末から送信されてくるキー操作名指定用の指定データを受信する。この受信機能により受信された指定データにより指定されたキー操作名に対応付けられているコンテンツデータをキー操作名とこのキー操作名に対応するコンテンツデータとを対応付けて複数組記憶している記憶手段から読み出す。そして、書き込み制御機能が読み出されたコンテンツデータを電子機器画像に対応する実物電子機器内に設けられているコンテンツ記憶部に書き込み、マーキング処理機能が受信機能により受信された指定データにより指定されたキー操作名を対応する実物電子機器の選択キーの表面上にマーキング処理する。
よって、顧客毎に電子機器に求める機能が異なっても、選択されるコンテンツデータに応じて電子機器のハードウェアをカスタマイズすることができるので、電子機器のソフト面とハード面とを容易に、且つ自動的にカスタマイズすることができる。
【００３４】
請求項１５に記載の発明は、コンピュータに、辞書名と電子辞書データとを対応付けて記憶手段に複数組記憶させる記憶制御機能（例えば、図２の記憶制御プログラム２２４、図８のステップＳ１５０）と、製造依頼元端末（例えば、図１，３の通信機器１）の表示部（例えば、図１，３の表示部１４）に表示されている電子辞書画像のキーボード内における各辞書名選択キーのクリック操作がなされる都度、前記製造依頼元端末から送信されてきた辞書名指定データを受信する受信機能（例えば、図２の受信プログラム２２１、図８のステップＳ１５０）と、この受信機能により受信された辞書名指定データにより指定された辞書名に対応付けられている電子辞書データを前記記憶手段から読み出し、この読み出された電子辞書データを前記電子辞書画像に対応する実物電子辞書（例えば、図４の実物電子辞書Ｄ）内に設けられている電子辞書記憶部（例えば、図４の電子辞書記憶部Ｍ）に書き込む書き込み制御機能（例えば、図２の書き込み制御プログラム２２２、図２４のステップＳ９３）と、前記受信機能により受信された辞書名指定データにより指定された辞書名を対応する前記実物電子辞書の選択キーの表面上にマーキング処理するマーキング処理機能（例えば、図２のマーキング処理プログラム２２３、図２４のステップＳ９１，Ｓ９２）と、を実現させることを特徴とする。
【００３５】
請求項１５に記載の発明によれば、受信機能が製造依頼元端末の表示部に表示されている電子辞書画像のキーボード内における各辞書名選択キーに対する指定操作がなされたことに応答して、製造依頼元端末から送信されてきた辞書名指定データを受信し、受信された辞書名指定データにより指定された辞書名に対応付けられている電子辞書データを辞書名と電子辞書データとを対応付けて複数組記憶している記憶手段から読み出す。更に、書き込み制御機能が、読み出された電子辞書データを電子辞書画像に対応する実物電子辞書内に設けられている電子辞書記憶部に書き込み、マーキング処理機能が、受信機能により受信された辞書名指定データにより指定された辞書名を対応する実物電子辞書の選択キーの表面上にマーキング処理する。
よって、顧客毎に電子機器に求める機能が異なっても、選択されるコンテンツデータに応じて電子機器のハードウェアをカスタマイズすることができるので、電子機器のソフト面とハード面とを容易に、且つ自動的にカスタマイズすることができる。
【００３６】
請求項１６に記載の発明は、コンピュータに、複数のキー操作名が表示されている選択キーを備えている電子機器画像を表示させる第１の表示制御機能（例えば、図３の第１の表示制御プログラム１６ｂ、図１７のステップＳ２０）と、この第１の表示制御機能の制御により表示されている前記複数の選択キーのいずれかが指定操作される都度、当該指定操作された選択キーの表面に表示されるキー操作名を他のキー操作名へ順次切り換え、この切り換えされた他のキー操作名を表示させる第２の表示制御機能（例えば、図３の第２の表示制御プログラム１６ｃ、図７のステップＳ２０）と、この第２の表示制御機能の制御により切り換え表示されたキー操作名を電子機器製造支援装置（例えば、図１，３の製造支援サーバ２）に向けて送信する送信機能（例えば、図３の送信プログラム１６ｄ、図９のステップＳ１４９）と、この送信機能によりキー操作名を送信した後、前記電子機器製造支援装置から当該送信されたキー操作名に対応する選択キーを備えている電子機器画像または当該電子機器画像に対応する実物電子機器（例えば、図４の実物電子辞書Ｄ）に関する製造関連情報を受信する受信機能（例えば、図３の受信プログラム１６ｅ、図９のステップＳ１５３）と、を実現させることを特徴とする。
【００３７】
請求項１６に記載の発明によれば、第１の表示制御機能が、複数のキー操作名が表示されている選択キーを備えている電子機器画像を表示させ、第２の表示制御機能が、表示されている複数の選択キーのいずれかが指定操作される都度、当該指定操作された選択キーの表面に表示されるキー操作名を他のキー操作名へ順次切り換え、この切り換えされた他のキー操作名を表示させる。そして、送信機能が切り換え表示されたキー操作名を電子機器製造支援装置に向けて送信し、受信機能が、電子機器製造支援装置から当該送信されたキー操作名に対応する選択キーを備えている電子機器画像または当該電子機器画像に対応する実物電子機器に関する製造関連情報を受信する。
よって、製造依頼元においては、電子機器画像に表示されたキー操作名を順次指定するだけで、電子機器製造支援装置から当該送信されたキー操作名に対応する選択キーを備えている電子機器画像または当該電子機器画像に対応する実物電子機器に関する製造関連情報を受信することができるので、カスタマイズされた電子機器の実際の内容を容易に確認することができることとなって、製造依頼元側は簡単にしかも安心してカスタマイズ電子機器の製造を注文することができる。
【００３８】
請求項１７に記載の発明は、コンピュータに、複数種類の言語を表示させる第１の表示制御機能（例えば、図２６の第１の表示制御プログラム１１６ｂ、図２８のステップＳ２２０）と、この第１の表示制御機能の制御により表示されている前記複数種類の言語のなかから使用しようとする使用言語を指定する言語指定機能（例えば、図２６の言語指定プログラム１１６ｆ、図３０のステップＳ１０１〜Ｓ１０６、ステップＳ１０１ａ、Ｓ１０１ｂ〜ステップＳ１０６ａ、１０６ｂ）と、この言語指定機能により指定された使用言語を用いた複数のキー操作名が表示されている選択キーを備えている電子機器画像を表示させる第２の表示制御機能（例えば、図２６の第２の表示制御プログラム１１６ｃ、図２８のステップＳ２２０）と、この第２の表示制御機能の制御により表示されている前記複数の選択キーのいずれかが指定操作される都度、当該指定操作された選択キーの表面に表示されるキー操作名を他のキー操作名へ順次切り換え、この切り換えされた他のキー操作名を表示させる第３の表示制御機能（例えば、図２６の第３の表示制御プログラム１１６ｇ、図２８のステップＳ２２０）と、この第３の表示制御機能の制御により切り換え表示されたキー操作名を電子機器製造支援装置（例えば、図２５の製造支援サーバ１２０）に向けて送信する送信機能（例えば、図２６の送信プログラム１１６ｄ、図３０のステップＳ１０９）と、この送信機能によりキー操作名を送信した後、前記電子機器製造支援装置から当該送信されたキー操作名に対応する選択キーを備えている実物電子機器（例えば、図４の実物電子辞書Ｄ）に関する製造関連情報を受信する受信機能（例えば、図２６の受信プログラム１１６ｅ、図３０のステップＳ１１３）と、を実現させることを特徴とする。
【００３９】
請求項１７に記載の発明によれば、第１の表示制御機能が、複数種類の言語を表示させ、言語指定機能が複数種類の言語のなかから使用しようとする使用言語を指定し、第２の表示制御機能が、指定された使用言語を用いた複数のキー操作名が表示されている選択キーを備えている電子機器画像を表示させ、第３の表示制御機能が、表示されている複数の選択キーのいずれかが指定操作される都度、当該指定操作された選択キーの表面に表示されるキー操作名を他のキー操作名へ順次切り換え、この切り換えされた他のキー操作名を表示させる。そして、送信機能が切り換え表示されたキー操作名を電子機器製造支援装置に向けて送信し、受信機能が、電子機器製造支援装置から当該送信されたキー操作名に対応する選択キーを備えている実物電子機器に関する製造関連情報を受信する。
よって、使用する言語がまちまちの製造依頼元に対しても、個々の製造依頼元に適合した言語を用いた複数のキー操作名が表示されている選択キーを備えている電子機器画像を表示させることができるので、カスタマイズされた電子機器の実際の内容を容易に確認することができることとなって、カスタマイズされた電子機器の製造を安心して注文することができる。
【００４０】
【発明の実施の形態】
以下、本発明に係る製造依頼元端末装置、電子機器製造支援装置について詳細に説明する。なお、本実施の形態においては、製造する電子機器の一例として電子辞書を挙げて説明する。
〔第１の実施の形態〕
図１に示すように、電子機器製造支援システム１００は、顧客が有する製造依頼元端末装置としての通信機器１と、電子辞書のメーカが有する電子機器製造支援装置としての製造支援サーバ２とがネットワーク３を介して接続されたシステムである。
かかる電子機器製造支援システム１００は、ネットワーク３上に開設されたメーカ等のホームページの電子機器画像表示に基づいて顧客が選択した電子辞書の仕様に対応して、カスタマイズされた実際の電子辞書の製造を支援するシステムである。
【００４１】
通信機器１は、例えば、顧客が所有するパーソナルコンピュータやＰＤＡ（Ｐｅｒｓｏｎａｌ  Ｄｉｇｉｔａｌ  Ａｓｓｉｓｔａｎｃｅ）等である。顧客は、通信機器１の画面に表示された電子辞書画像上で電子辞書のハードウェアや搭載する電子辞書の種類等の選択を行い、顧客独自のカスタマイズした電子辞書をメーカに注文する。
【００４２】
次に、通信機器１の内部構造について説明する。
通信機器１は、図３に示すように、各部を制御するのに必要なシステムプログラム等を実行するＣＰＵ１１、ＣＰＵ１１のワークエリア等として使用されるほか、システムプログラム等が格納されたメモリ１２、ネットワーク３を介してメーカの製造支援サーバ２からの電子辞書に関する製造関連情報を受信する伝送制御部１３、メーカのホームページや各種データを表示する表示部１４、通信機器１の操作の指示を入力する入力部１５等を備えている。
【００４３】
ＣＰＵ１１は、メモリ１２内のＲＯＭ１６に格納されたプログラムを読み出してメモリ１２内のＲＡＭ１７に展開し、当該プログラムに基づいて各部への指示等を制御する。
具体的に、ＣＰＵ１１は、複数の電子辞書名が表示されている選択キーを備えている電子辞書画像を表示させる第１の表示制御手段として機能する。また、ＣＰＵ１１は、表示されている複数種類の言語のなかから使用しようとする使用言語を指定する言語指定手段として機能するとともに、表示されている複数の選択キーのいずれかが指定操作される都度、指定操作された選択キーの表面に表示される電子辞書名を他の電子辞書名へ順次切り換え、この切り換えされた他の辞書名を表示させる第２の表示制御手段として機能する。更に、ＣＰＵ１１は、表示されている複数の選択キーのいずれかが指定操作される都度、当該指定操作された選択キーの表面に表示されるキー操作名を他のキー操作名へ順次切り換え、この切り換えされた他のキー操作名を表示させる第３の表示制御手段として機能する。
【００４４】
メモリ１２は、ＣＰＵ１１のワークエリアを形成するとともに、ＣＰＵ１１の制御の下、製造支援サーバ２から受信したデータを一時的に記憶するＲＡＭ１７、通信機器１のシステムプログラム等が格納されたＲＯＭ１６等を備えている。
ＲＡＭ１７は、作業エリア１７ａ、製造支援サーバ２から送信される電子辞書のハードウェアの情報や電子辞書の辞書名等の製造関連情報を記憶する製造関連情報記憶エリア１７ｂ等を備えている。
【００４５】
ＲＯＭ１６は、電子辞書を注文するホームページ情報を閲覧するホームページ情報閲覧プログラム１６ａ、複数の電子辞書名が表示されている選択キーを備えている電子辞書画像を表示させる第１の表示制御プログラム１６ｂ、表示されている複数の選択キーのいずれかが指定操作される都度、指定操作された選択キーの表面に表示される電子辞書名を他の電子辞書名へ順次切り換え、この切り換えられた他の辞書名を表示させる第２の表示制御プログラム１６ｃ、切り換え表示されたキー操作名を製造支援サーバ２に向けて送信する送信プログラム１６ｄ、製造支援サーバ２から当該送信されたキー操作名に対応する選択キーを備えている電子機器画像または当該電子機器画像に対応する実物の電子辞書に関する製造関連情報を受信する受信プログラム１６ｅ、第１の表示制御プログラム１６ｂの制御により表示されている複数種類の言語の中から使用しようとする使用言語を指定する言語指定プログラム１６ｆ、第２の表示制御プログラム１６ｃの制御により表示されている複数の選択キーのいずれかが指定操作される都度、指定操作された選択キーの表面に表示されるキー操作名を他のキー操作名へ順次切り換え、切り換えされた他のキー操作名を表示させる第３の表示制御プログラム１６ｇを備えている。
【００４６】
伝送制御部１３は、モデム、ターミナルアダプタ、あるいはルーター等によって構成され、ネットワーク３に接続されており、製造支援サーバ２とのデータの送受信を行うものである。
具体的に、伝送制御部１３は、表示された電子辞書名から切り換えられた他の電子辞書名を製造支援サーバ２に向けて送信する送信手段として機能する。
また、伝送制御部１３は、顧客が選択した電子辞書名を製造支援サーバ２に送信した後、送信した電子辞書名に対応する選択キーを備えている電子機器画像又はこの電子辞書画像に対応する実物電子辞書に関する製造関連情報を受信する受信手段として機能する。
【００４７】
表示部１４は、ＣＲＴやＬＣＤ等から構成され、メモリ１２に記憶された顧客の個人情報、当該顧客が注文した電子辞書の情報等を表示するものである。
【００４８】
入力部１５は、キーボードやマウス等から構成され、顧客が通信機器１の操作を行うためのものである。
【００４９】
製造支援サーバ２は、メーカと顧客との間で、メーカの提供する電子辞書に関するホームページをインターネット上に開設する。そして、顧客から送信された電子辞書の辞書名指定データ（キー操作名）を受信し、その辞書名指定データに基づいて電子辞書を製造する。
具体的には、図１に示すように、製造支援サーバ２は、製造ラインを流れる電子辞書のキーボードの各キーにレーザーマーキングによって顧客がカスタマイズした辞書の内容に対応する印字及び装飾を施すマーキング処理制御を行う。また、製造支援サーバ２は、顧客が選択した辞書の種類等をメモリ２２の中に格納する電子辞書データの書き込み処理制御を行う。更に、製造支援サーバ２は、製造後の梱包された電子辞書に送付ラベルを付す送付ラベル印字処理制御を行う。
【００５０】
次に、製造支援サーバ２の内部構造について説明する。
製造支援サーバ２は、図２に示すように、各部を制御するのに必要なシステムプログラム等を実行するＣＰＵ２１、ＣＰＵ２１のワークエリア等として使用されるほか、顧客が設定した仕様、顧客の個人情報、システムプログラム等が格納されたメモリ２２、辞書名、ハードウェア、キー等の電子辞書に関する製造関連情報が格納された記録媒体２３、この記録媒体２３の製造関連情報を読み取る記録媒体読取部２４、ネットワーク３を介して顧客の通信機器１からの注文情報を受信する伝送制御部２５、各種データを表示する表示部２６、製造支援サーバ２の操作の指示を入力する入力部２７等を備えている。
【００５１】
ＣＰＵ２１は、メモリ２２内に格納されたプログラムを読み出してメモリ２２内の作業エリアに展開し、当該プログラムに基づいて各部への指示等を制御する。
具体的に、ＣＰＵ２１は、受信した電子辞書名に対応して予め用意されている電子辞書データを電子辞書画像に対応する実物電子辞書Ｄ（図４参照）内に設けられている電子辞書記憶部Ｍ（図４参照）へ書き込む書き込み制御手段として機能する。また、ＣＰＵ２１は、受信された辞書名に対応する実物電子辞書Ｄにおける選択キーの表面上に該当する辞書名をマーキング処理する制御を行うマーキング処理手段として機能する。
【００５２】
更に、ＣＰＵ２１は、受信された電子辞書名に対応する文字パターンデータを文字パターンデータ記憶領域２３ｂから読み出す文字パターンデータ読み出し手段として機能するとともに、受信された電子辞書名をマーキングする選択キーの位置座標データを座標データ記憶領域２３ａから読み出す位置座標データ読み出し手段として機能する。また、ＣＰＵ２１は、読み出された文字パターンデータ及び位置座標データに基づいてマーキングデータを作成するマーキングデータ作成手段として機能する。更に、ＣＰＵ２１は、選択キーとこの選択キーにマーキングされた辞書名に対応するコンテンツデータとを対応付けたキー入力処理テーブルを作成して、実物電子辞書Ｄ内に設けられている電子辞書記憶部Ｍに記憶させるキー入力処理テーブル作成手段として機能する。
【００５３】
また、ＣＰＵ２１は、通信機器１にて選択されて送信された電子辞書ハードウェアデータに対応する電子辞書画像を作成する電子機器画像作成手段として機能する。更に、ＣＰＵ２１は、受信された辞書名に対応する電子辞書データの単価をメモリ２２から読み出す単価読み出し手段として機能するとともに、単価読み出し手段によって読み出された単価に基づいて実物電子辞書Ｄの価格を算出する価格算出手段として機能する。また、ＣＰＵ２１は、算出された価格を課金する制御を行う課金手段として機能する。更に、ＣＰＵ２１は、通信機器１から送信されてきた氏名データを実物電子辞書Ｄの表面上にマーキング処理する制御を行う氏名マーキング処理手段として機能する。
【００５４】
メモリ２２は、ＣＰＵ２１のワークエリアを形成するとともに、ＣＰＵ２１の制御の下、画像データを一時的に記憶するＲＡＭ２２Ａと、各処理を行うためのプログラムやデータが格納されたＲＯＭ２２Ｂと、を備えている。
ＲＡＭ２２Ａには、ＣＰＵ２１のワークエリアを形成する作業エリア２２ａ、電子辞書をカスタマイズするホームページ情報を記憶するホームページ情報記憶エリア２２ｂ、顧客が設定した電子辞書の仕様情報に応じて記録媒体読取部２４から読み取った電子辞書データ、キー配列データ等を記憶する注文情報記憶エリア２２ｃ、通信機器１から受信した顧客の個人情報を記憶する顧客情報記憶エリア２２ｄ、顧客が設定した電子辞書の仕様情報に応じて記録媒体読取部２４から読み取った電子辞書データ、キー配列データ等を記憶する製品情報記憶エリア２２ｅ、キー或いはケースに印刷する内容を記憶するマーキング内容テーブルエリア２２ｘ、キー或いはケースに印刷する位置を記憶するマーキング位置テーブルエリア２２ｙ等が形成されている。
【００５５】
ＲＯＭ２２Ｂには、通信機器１の表示部１４に表示されている電子辞書画像のキーボード内における各辞書名選択キーのクリック操作がなされる都度、通信機器１から送信されてきた辞書名指定データを受信する受信プログラム２２１と、この受信プログラム２２１により受信された辞書名指定データにより指定された辞書名に対応付けられている電子辞書データを記録媒体２３から読み出し、この読み出された電子辞書データを電子辞書画像に対応する実物電子辞書Ｄ内に設けられている電子辞書記憶部Ｍに書き込む書き込み制御プログラム２２２、受信プログラム２２１により受信された辞書名指定データにより指定された辞書名を対応する実物電子辞書Ｄの選択キーの表面上にマーキング処理するマーキング処理プログラム２２３、辞書名と電子辞書データとを対応付けて記憶手段に複数組記憶させる記憶制御プログラム２２４等が格納されている。
【００５６】
また、ＲＯＭ２２Ｂには、位置座標データ記憶部２３１、文字パターンデータ記憶部２３２等が設けられている。位置座標データ記憶部２３１は、通信機器１に表示された電子機器画像におけるキーボードの選択キーと実物電子辞書Ｄの位置座標データとを対応付けて記憶しており、位置座標データ記憶手段として機能する。また、文字パターンデータ記憶部２３２は、辞書名とこの辞書名の文字パターンデータとを対応付けて記憶しており、文字パターンデータ記憶手段として機能する。
【００５７】
記録媒体２３は、例えば、ハードディスクであり、辞書名指定データ、電子辞書データ、電子辞書ハードウェアデータ等の実物電子辞書Ｄにおいてカスタマイズ可能な仕様の全ての情報が記録されている。
具体的には、記録媒体２３は、図５に示すように、電子辞書データ記憶領域２３ａ、電子辞書ハードウェア単価データ記憶領域２３ｂ、電子辞書データ単価データ記憶領域２３ｃ、キー配列データ記憶領域２３ｄ等を備えている。
【００５８】
電子辞書データ記憶領域２３ａは、辞書名とこの辞書名に対応する電子辞書データとを対応付けて複数組記憶しており、記憶手段として機能する。
また、電子辞書ハードウェアデータ単価データ記憶領域２３ｂは、電子辞書ハードウェア名とこの電子辞書ハードウェアの単価とが対応付けられて記憶されており、第１の単価記憶手段として機能する。更に、電子辞書データ単価データ記憶領域２３ｃは、辞書名とこの辞書名に対応する電子辞書データ（コンテンツデータ）の単価とが対応付けられて記憶されており、第２の単価記憶手段として機能する。
【００５９】
記録媒体読取部２４は、記憶媒体２３に記憶された内容を読み取るものであり、例えば、記憶媒体２３がハードディスクの場合、公知の磁気ヘッド等により構成される。
【００６０】
伝送制御部２５は、モデム、ターミナルアダプタ、あるいはルーター等によって構成され、ネットワーク３に接続されている。
具体的には、伝送制御部２５は、通信機器１から送信されてくる辞書名指定データを受信する受信手段として機能する。また、伝送制御部２５は、電子辞書画像を通信機器１に送信する送信手段として機能する。更に、伝送制御部２５は、算出された価格を通信機器１に送信する価格送信手段として機能する。また、伝送制御部２５は、通信機器１から送信されてきた氏名データを受信する氏名データ受信手段として機能する。
【００６１】
表示部２６は、ＣＲＴやＬＣＤ等から構成され、メモリ２２に記憶された顧客の個人情報、当該顧客が注文した電子辞書の情報等を表示するものである。
【００６２】
入力部２７は、キーボードやマウス等から構成され、メーカが製造支援サーバ２の操作を行うためのものである。
【００６３】
次に、製造支援サーバ２によるカスタマイズ電子辞書の製造処理動作について、図６〜図２４を用いて説明する。
図６に示すように、顧客が通信機器１から製造支援サーバ２が開設する電子辞書のホームページにアクセスすると、通信機器１のＣＰＵ１１は、ネットワーク３を介して製造支援サーバ２にホームページ情報の提供要求信号を送信する（ステップＳ１）。製造支援サーバ２の伝送制御部２５が通信機器１からホームページ情報の提供要求信号を受信すると、ＣＰＵ２１は、ホームページ情報記憶エリア２２ｂからホームページ情報を読み出し、顧客の通信機器１にホームページ情報を、伝送制御部２５を介して送信する（ステップＳ２）。ホームページ情報を受信した通信機器１の伝送制御部１３は、表示部１４上にホームページの内容を表示する。
【００６４】
次いで、通信機器１と製造支援サーバ２の間で電子辞書のカスタマイズ選択処理を行う（ステップＳ３）。このカスタマイズ選択処理では、顧客がカスタマイズした電子辞書の仕様情報は、製造支援サーバ２に送信され、製造支援サーバ２は、受信した電子辞書の仕様情報に基づき、顧客が注文した電子辞書に関する注文情報を取得する。
【００６５】
次いで、ＣＰＵ２１は、製造支援サーバ２からメモリ２２内の購入情報を確認し、顧客の仕様に対応した電子辞書の製造の指示を行う（ステップＳ４）。
最後に、ＣＰＵ２１は、課金プログラムを実行することにより、顧客が購入した辞書の価格とクレジット情報から課金処理を行う（ステップＳ５）。
【００６６】
ここで、電子辞書のカスタマイズ処理について、図７を用いて詳細に説明する。
図７に示すように、顧客がカスタマイズ辞書のホームページにアクセスすると（ステップＳ１１）、製造支援サーバ２のＣＰＵ２１は、ホームページ情報記憶エリア２２ｂからホームページ情報を読み込み、伝送制御部２５を介して通信機器１に送信する（ステップＳ１２）。次いで、顧客は通信機器１の表示部１４の画面上に表示されたホームページ上で注文する電子辞書ハードウェアの種類を選択する（ステップＳ１３）。ここで、電子辞書ハードウェアとは、例えば、表示画面の大きさ、キーボードの大きさ等のことである。
【００６７】
ここで、具体的な表示例を挙げて説明すると、通信機器１の伝送制御部１３が製造支援サーバ２からホームページ情報を受信すると、その表示部１４には図１０（ａ）に示すような第１の表示画面４１がなされる。第１の表示画面４１には、「あなたの希望どおりの辞書データを内蔵したカスタマイズ辞書を工場でお作りし、１週間でお届けします。」というような案内表示部４１ａと、「カスタマイズ辞書を作ってみる」というカスタマイズ辞書の仕様を設定する設定開始アイコン表示部４１ｂが表示される。顧客が設定開始アイコン表示部４１ｂをマウスポインタＰでクリックすると、画面の表示が切り替わり、図１０（ｂ）に示すように、カスタマイズ可能な電子辞書データと電子辞書ハードウェアが表示された第２の表示画面４２がなされる。
【００６８】
第２の表示画面４２には、搭載可能な辞書の種類、例えば、英和辞書４２１、和英辞書４２２、他国語辞書４２３、国語辞書４２４、漢和辞書４２５、便利辞書４２６、おまけ辞書４２７等の電子辞書データ一覧表４２ａが表示される。また、電子辞書データ一覧表４２ａには、各辞書の種類別に、更に複数種の辞書名が表示され、顧客に搭載可能な辞書名を公開している。例えば、英和辞書の中には、「リ＊ダーズ」、「グ＊ンドコンサイス」、「ジ＊ーニアス」、「新グロ＊ーバル」等がある。
また、第２の表示画面４２には、辞書データの種類と並んで電子辞書ハードウェアの種類、例えば、「大画面・大型キーボード」、「コンパクト表示・キーボード」、「音声付大画面・大型キーボード」等の電子辞書ハードウェア表示部４２ｂがあり、各ハードウェアのタイプの先頭に設けられた選択ボタン４２ｃをクリックすることにより、電子辞書ハードウェアのタイプの選択が行われる。図１０（ｂ）においては、例えば、電子辞書ハードウェアのタイプは、「音声付大画面・大型キーボード」が選択されている。
【００６９】
辞書ハードが顧客によって選択された後、通信機器１のＣＰＵ１１は、顧客が第２の表示画面の「次へ」アイコン表示部４２ｄをクリックしたか否かを判断する（ステップＳ１４）。ここで、「次へ」アイコン表示部４２ｄがクリックされた場合（ステップＳ１４；ＹＥＳ）、通信機器１のＣＰＵ１１は、第２の表示画面４２から第３の表示画面４３に切り換える信号を製造支援サーバ２に送信する（ステップＳ１５）。「次へ」アイコン表示部４２ｄがクリックされていない場合（ステップＳ１４；ＮＯ）、ステップＳ１４に戻り、「次へ」アイコン表示部４２ｄがクリックされるまでステップＳ１４の判断を繰り返す。
【００７０】
顧客が電子辞書ハードウェアのタイプの選択ボタン４２ｃをクリックすると、通信機器１のＣＰＵ１１は、クリックされた電子辞書ハードウェアのタイプを示す電子辞書ハードウェア情報を伝送制御部１３を介して製造支援サーバ２に送信し、製造支援サーバ２の伝送制御部２５が当該電子辞書ハードウェア情報を受信する（ステップＳ１６）。
【００７１】
ステップＳ１６において、通信機器１のＣＰＵ１１が第２の表示画面４２から第３の表示画面４３に切り換える信号を製造支援サーバ２に送信すると、製造支援サーバ２のＣＰＵ２１は、受信した電子辞書ハードウェアデータに対応するキー配列と、標準メニューを記録媒体２３から読み出す（ステップＳ１７）。
なお、標準メニューは、メーカがカスタマイズして記録媒体２３に格納させているものである。具体的には、よく用いられる「国語辞書」や「英和辞書」等である。
【００７２】
次いで、ＣＰＵ２１は、当該電子辞書ハードウェアに対応するキー配列と、標準辞書メニューが表示される電子辞書画像データを作成する（ステップＳ１８）。
次いで、ＣＰＵ２１は、作成した電子辞書画像データを、伝送制御部２５を介して通信機器１に送信する（ステップＳ１９）。キー配列・標準メニューが表示された電子辞書画像データを受信した通信機器１の伝送制御部１３は、図１１に示すような第３の表示画面４３としての当該電子辞書画像データに基づく電子辞書画像を表示部１４に表示する（ステップＳ２０）。この電子辞書画像には、標準メニューで良いか否かを顧客に選択させるアイコン表示がなされている。
なお、図１１は、アイコンをクリックした後の画像であり、アイコン表示は消えている。
【００７３】
ここで、顧客が「ＯＫ」アイコンをクリックした場合（ステップＳ２１；ＹＥＳ）、通信機器１のＣＰＵ１１は、「ＯＫ」を選択した旨の信号を製造支援サーバ２に送信し（ステップＳ２２）、辞書の選択は行われない。一方、顧客が「ＮＯ」アイコンをクリックした場合（ステップＳ２１；ＮＯ）、通信機器１のＣＰＵ１１は、「ＮＯ」を選択した旨の信号を製造支援サーバ２に送信する（ステップＳ２３）。
【００７４】
製造支援サーバ２では、通信機器１から標準メニューで「ＯＫ」の信号を受信したか否かを判断し（ステップＳ２４）、ＣＰＵ２１が「ＯＫ」の信号を受信したと判断した場合（ステップＳ２４；ＹＥＳ）には、電子辞書の価格算出処理を行う（ステップＳ２７）。一方、伝送制御部２５が「ＮＯ」の信号を受信した場合（ステップＳ２４；ＮＯ）には、搭載する電子辞書データの選択処理を行う（ステップＳ２６）。
【００７５】
ここで、搭載する電子辞書データの選択処理について図９を用いて説明する。図９に示すように、まず、通信機器１のＣＰＵ１１は、顧客が「英和辞書」と表示されている選択キー４３ａ（図１１参照）を選択操作したか否かを判断する（ステップＳ１４１）。ＣＰＵ１１は、顧客が「英和辞書」と表示されている選択キー４３ａを選択操作したと判断した場合（ステップＳ１４１；ＹＥＳ）には、同辞書内における次の電子辞書名（例えば、「リ＊ダーズ」）を指定し、この指定された辞書指定データをＲＡＭ１７の製造関連情報エリア１７ｂに記憶させる。また、当該次の辞書に対応する辞書コンテンツを指定し、この指定された電子辞書データを同ＲＡＭ１７の製造関連情報エリア１７ｂに記憶させる。更に、当該次の辞書に対応するマーキング処理を指定し、この指定されたマーキング指定データを同ＲＡＭ１７の製造関連情報エリア１７ｂに記憶させる（ステップＳ１４１ａ）。
次に、ＣＰＵ１１は、ステップＳ１４１において選択操作された次の電子辞書名に対応する選択キー名（例えば、「リ＊ダーズ」という選択キー名）が表示されている選択キー４４ａの部分の画像に更新する（置き換える）。またはステップＳ１４１において選択操作された電子辞書名が選択キー４４ａに表示された電子辞書画像の全体（例えば、「リ＊ダーズの電子辞書画像」）に更新する（置き換える）（ステップＳ１４１ｂ；図１２参照）。
【００７６】
引き続いて、ＣＰＵ１１は、顧客がこの更新された選択キー名（例えば、「リ＊ダーズ」という選択キー名）が表示されている選択キー４４ａを選択操作したか否かを判断する（ステップＳ１４１）。ＣＰＵ１１は、顧客が「英和辞書」と表示されている選択キー４４ａを選択操作したと判断した場合（ステップＳ１４１；ＹＥＳ）には、同辞書内における更に次の電子辞書名（例えば、「グ＊ンドコンサイス」）を指定し、この指定された辞書指定データをＲＡＭ１７の製造関連情報エリア１７ｂに記憶させる。また、当該次の辞書に対応する辞書コンテンツを指定し、この指定された電子辞書データを同ＲＡＭ１７の製造関連情報エリア１７ｂに記憶させる。更に、当該次の辞書に対応するマーキング処理を指定し、この指定されたマーキング指定データを同ＲＡＭ１７の製造関連情報エリア１７ｂに記憶させる（ステップＳ１４１ａ）。
【００７７】
引き続いて、ＣＰＵ１１は、ステップＳ１４１において選択操作された次の電子辞書名に対応する選択キー名（例えば、「グ＊ンドコンサイス」という選択キー名）が表示されている選択キー４５ａの部分画像に更新する。またはステップＳ１４１において選択操作された電子辞書名が選択キー４５ａに表示された電子辞書画像（例えば、グ＊ンドコンサイスの電子辞書画像））に更新する（ステップＳ１４１ｂ；図１３参照）。
このようにして「英和辞書」と表示されている選択キー４３ａ、４４ａ・・・が選択操作される都度、「英和辞書」という辞書内における次の電子辞書名に対応する辞書指定データ、対応する辞書コンテンツ指定データ、および、対応するマーキング指定データをＲＡＭ１７の製造関連情報エリア１７ｂに記憶させる一方で、選択操作された次の電子辞書名に対応する選択キー名が表示されている選択キーの部分の画像のみを、または選択操作された電子辞書名が選択キーに表示された電子辞書画像全体を更新する（ステップＳ１４１、Ｓ１４１ａ、Ｓ１４１ｂ）。この結果、「リ＊ダーズ」、「グ＊ンドコンサイス」、「ジ＊ーニアス」、「新グロ＊バル」等のいずれかの種類の電子辞書を切り換えながら表示させることができる。なお、この実施形態の場合、同電子辞書内に記憶されている最後の電子辞書名（例：「新グロ＊バル」）が表示された後は、最初の電子辞書名（例：「リ＊ダーズ」）が置き換え表示されるようになっている。
【００７８】
一方、ＣＰＵ１１は、顧客が「英和辞書」と表示されている選択キー４３ａを選択操作しないで、図１１に示すように、「和英辞書」と表示されている選択キー４３ｄを選択操作したと判断した場合（ステップＳ１４２；ＹＥＳ）には、同辞書内における次の電子辞書名（例えば、「リ＊ダーズ」）を指定し、この指定された辞書指定データをＲＡＭ１７の製造関連情報エリア１７ｂに記憶させる。また、当該次の辞書に対応する辞書コンテンツを指定し、この指定された辞書コンテンツ指定データを同ＲＡＭ１７の製造関連情報エリア１７ｂに記憶させる。更に、当該次の辞書に対応するマーキング処理を指定し、この指定されたマーキング指定データを同ＲＡＭ１７の製造関連情報エリア１７ｂに記憶させる（ステップＳ１４２ａ）。
次に、ＣＰＵ１１は、ステップＳ１４２において選択操作された次の電子辞書名に対応する選択キー名（例えば、「リ＊ダーズ」という選択キー名）が表示されている選択キーの画像に更新する。またはステップＳ１４２において選択操作された電子辞書名が選択キーに表示された電子辞書画像全体（例えば、「リ＊ダーズの電子辞書画像」）に更新する（ステップＳ１４２ｂ）。
【００７９】
引き続いて、ＣＰＵ１１は、顧客が更新された選択キー名（例えば、「リ＊ダーズ」という選択キー名）と表示されている選択キー４３ｄを選択操作したか否かを判断する（ステップＳ１４２）。ＣＰＵ１１は、顧客が「英和辞書」と表示されている選択キー４３ｄを選択操作したと判断した場合（ステップＳ１４２；ＹＥＳ）には、同辞書内における更に次の電子辞書名（例えば、「グ＊ンドコンサイス」）を指定し、この指定された辞書名指定データをＲＡＭ１７の製造関連情報エリア１７ｂに記憶させる。また、当該次の辞書に対応する辞書コンテンツを指定し、この指定された電子辞書データを同ＲＡＭ１７の製造関連情報エリア１７ｂに記憶させる。更に、当該次の辞書に対応するマーキング処理を指定し、この指定されたマーキング指定データを同ＲＡＭ１７の製造関連情報エリア１７ｂに記憶させる（ステップＳ１４２ａ）。
【００８０】
引き続いて、ＣＰＵ１１は、ステップＳ１４２において選択操作された次の電子辞書名に対応する選択キー名（例えば、「グ＊ンドコンサイス」という選択キー名）に更新する。またはステップＳ１４２において選択操作された電子辞書名が選択キーに表示された電子辞書画像（例えば、グ＊ンドコンサイスの電子辞書画像））に更新する（ステップＳ１４２ｂ）。
このようにして「和英辞書」と表示されている選択キーが選択操作される都度、「和英辞書」という辞書内における次の電子辞書名に対応する辞書指定データ、対応する辞書コンテンツ指定データ、および、対応するマーキング指定データをＲＡＭ１７の製造関連情報エリア１７ｂに記憶させる一方で、選択操作された次の電子辞書名に対応する選択キー名または選択操作された電子辞書名が選択キーに表示された電子辞書画像に更新する（ステップＳ１４２、Ｓ１４２ａ、Ｓ１４２ｂ）。この結果、「リ＊ダーズ」、「グ＊ンドコンサイス」、「ジ＊ーニアス」、「新グロ＊バル」等のいずれかの種類の電子辞書を切り換えながら表示させることができる。
【００８１】
以下、「他国語辞書」、「国語辞書」、「漢和辞書」、「便利辞書」、「おまけ辞書」の順に上記手順をステップＳ１４７において、「ＯＫキー」が顧客により操作されるまで繰り返し（ステップＳ１４３〜Ｓ１４６）、選択された種類の電子辞書の情報を製造関連情報エリア１７ｂに記憶する。
【００８２】
次に、ＣＰＵ１１は、ステップＳ１４７において、「ＯＫキー」が顧客により操作されると判断すると、表示部１４に搭載可能な電子辞書データのメニュー内容を表示する（ステップＳ１４８）。
次に、ＣＰＵ１１は、製造関連情報エリア１７ｂに記憶されている辞書名指定データ、電子辞書データ、および、マーキング指定データを製造支援サーバ２へ送信する（ステップＳ１４９）。すると、製造支援サーバ２は、送信された辞書名指定データ、電子辞書データ、および、マーキング指定データを伝送制御部２５により受信し、ＣＰＵ２１がメモリ２２の注文情報エリア２２ｃ及びマーキング内容テーブルエリア２２ｘ内の所定の格納領域に記憶させる（ステップＳ１５０）。
次いで、製造支援サーバ２側のＣＰＵ２１は、送信された辞書名指定データにより指定された電子辞書名を文字パターンデータ記憶部２３２から読み出しこの読み出された電子辞書名が選択キーに表示された電子辞書画像に更新して（ステップＳ１５１）、更新された電子辞書画像を通信機器１に送信する（ステップＳ１５２）。通信機器１は、更新された電子辞書画像を受信し（ステップＳ１５３）、表示部１４に表示する（ステップＳ１５４）。
【００８３】
ここで、電子辞書の選択を行う場合における具体例について、図１１〜図１３を用いて説明する。
図７に示すステップＳ２０において、図１１に示すような電子機器画像が通信機器１の表示部１４に表示されると、顧客はその画面を見ながら電子辞書に搭載する辞書の種類を選択することとなるが、この図１１においては、顧客が英和辞書アイコン表示部４３ａをクリックした場合であり、英和辞書アイコン表示部４３ａがクリックされると、「英和辞書」の中のすべての電子辞書名が並んだメニューリスト４３ｂが表示される。「英和辞書」の場合、メニューリスト４３ｂには、「リ＊ダーズ」、「グ＊ンドコンサイス」、「ジ＊ーニアス」、「新グロ＊バル」等の電子辞書名が表示される。
各辞書名のうち、先頭の辞書名に対応した選択ボタン４３ｃが表示された後、顧客はこの選択ボタン４３ｃをクリックすることとなる。なお、通信機器１の表示部１４には、英和辞書アイコン表示部４３ａに隣接して和英辞書アイコン表示部４３ｄ、他国語辞書アイコン表示部４３ｅ、国語辞書アイコン表示部４３ｆ、漢和辞書アイコン表示部４３ｇ、便利辞書アイコン表示部４３ｈ、おまけ辞書アイコン表示部４３ｉ等が表示される。
【００８４】
上記手順にて「英和辞書」、「和英辞書」等の電子辞書名を選択すると、英和辞書アイコン表示部４３ａ、和英辞書アイコン表示部４３ｄの表示が選択した電子辞書データのアイコン表示部４４ａ、４４ｄに更新された電子機器画像が表示される。
また、図１２では、「英和辞書」は「リ＊ダーズ」が、「和英辞書」は「新グロ＊バル」が選択された状態を示し、「英和辞書」及び「和英辞書」の電子辞書の選択後に、他国語辞書アイコン表部示４３ｅをクリックした場合の第４の表示画面４４を示す。
「他国語辞書」の中の電子辞書データが並んだメニューリスト４４ｂが表示される。他国語辞書の場合、メニューリスト４４ｂには、「独和」、「和独」、「仏和」、「和仏」等の電子辞書データが表示されている。各電子辞書データの先頭には選択ボタン４４ｃが表示され、顧客はこの選択ボタン４４ｃをクリックすることにより他国語辞書の電子辞書データを選択することができる。
【００８５】
上記手順にて他国語辞書の電子辞書データを選択すると、図１２の他国語辞書アイコン表示部４４ｅの表示が、図１３に示す選択した電子辞書データのアイコン表示部４５ｅに変化する。図１３において、他国語辞書は「仏和辞書」が選択されたことになる。また、図１３は、英和辞書、和英辞書、他国語辞書、国語辞書、漢和辞書、便利辞書の電子辞書データの選択後に、おまけ辞書アイコン表示部４５ｅをクリックした場合の第５の表示画面４５である。
図１３からも分かるように、図１２の第４の表示画面４４における国語辞書アイコン表示部４４ｆが図１３の第５の表示画面４５では、広＊苑アイコン表示部４５ｆに更新されている。これは、顧客が国語辞書アイコン表示部４４ｆをクリックして国語辞書の電子辞書データのうち「広＊苑」を選択したためである。また、漢和辞書アイコン表示部４４ｇ、便利辞書アイコン表示部４４ｈがそれぞれ漢＊源アイコン表示部４５ｇ、ことわざアイコン表示部４５ｈに変化していることも同様の理由による。
【００８６】
図１３における第５の表示画面４５において、「おまけ辞書」の中の電子辞書データの内容を示すメニューリスト４５ｂが表示される。「おまけ辞書」の場合、メニューリスト４５ｂには、「ＩＴ英辞典」、「特許辞典」、「ケイタイ辞典」、「テレビ辞典」等の電子辞書データが表示されている。各電子辞書データの先頭には選択ボタン４５ｃが表示され、顧客はこの選択ボタン４５ｃをクリックすることによりおまけ辞書の電子辞書データを選択することができる。
【００８７】
また、第５の表示画面４５において、画面の上方には辞書の選択を終了させてよいか否かの選択アイコン４５ｙ、４５ｎ、具体的には「ＹＥＳ」アイコン４５ｙ、「ＮＯ」アイコン４５ｎの二つのアイコンが表示されており、顧客は「ＹＥＳ」アイコン４５ｙをクリックすることにより、辞書の選択を終了させることができる。
なお、選択アイコン４５ｙ、４５ｎは、第５の表示画面４５に表示されているが、これらのアイコンは各辞書データの選択時に常時表示されていてもよい。
【００８８】
再び、図７のフローチャートに戻り、製造支援サーバ２のＣＰＵ２１は、カスタマイズされた電子辞書の電子辞書ハードウェアおよび内蔵する電子辞書データにより価格の算出を行う（ステップＳ２７）。
具体的には、選択された電子辞書ハードウェアの単価を記録媒体２３の電子辞書ハードウェア単価データ記憶領域２３ｂから読み出すとともに、選択された電子辞書データの単価を記録媒体２３の電子辞書データ単価データ記憶領域２３ｃから読み出す。そして、読み出された単価に基づいて当該電子辞書の価格を算出する。
次いで、製造支援サーバ２のＣＰＵ２１は、伝送制御部２５を介して、算出した価格を通信機器１に送信する（ステップＳ２８）。
【００８９】
次いで、電子辞書の価格を受信した通信機器１は、当該価格を表示部１４に表示する（ステップＳ２９）。そして、当該電子辞書の購入を決めた顧客は、図１４に示すように、氏名、住所、クレジット情報等をホームページ上で入力し（ステップＳ３０）、通信機器１のＣＰＵ１１は、これらの情報を製造支援サーバ２に送信する（ステップＳ３１）。顧客の氏名、住所、クレジット情報を製造支援サーバ２の伝送制御部２５が受信すると（ステップＳ３２）、ＣＰＵ２１は、これらの情報を顧客情報として、購入情報と対応付けてメモリ２２の顧客情報エリア２２ｄ及びマーキング内容テーブルエリア２２ｘ内の所定の格納領域に記憶させる（ステップＳ３３）。
【００９０】
次いで、ＣＰＵ２１は、電子辞書ハードウェアのうち、電子辞書ケースをレーザーマーキングするためのケース印刷データの作成を行う（ステップＳ３４）。
ここで、具体例を挙げて、ケース印刷データの作成処理について図１５、図１６のフローチャートを用いて説明すると、ＣＰＵ２１は、図１７に示すようなメモリ２２に記憶されたマーキング内容テーブル２２ｘから名入れ色・名入れ印刷データ５３を読み出す（ステップＳ５１）。なお、マーキング内容テーブル５は、実物電子辞書ＤのキーＫに付されるマーキングと当該マーキングを付されたキーの機能とを対応付けたものである。また、名入れ色・名入れ印刷データ５３には、４種類の名入れ色（金、銀、赤、青）が設定されており、金、銀、赤、青の順に指定Ｎｏ（１）〜（４）が付されている。また、文字パターン（名入れデータ）がいずれかの名入れ色に対して設定されており、例えば、顧客の名前「○山○子」が（３）赤に対して設定されている。即ち、電子辞書ケースをマーキングしたときには、「○山○子」が赤色の文字でマーキングされることとなる。
【００９１】
次いで、ＣＰＵ２１は、指定Ｎｏの初期化（（１）に設定）を行い（ステップＳ５２）、指定Ｎｏの文字パターンを読み出す（ステップＳ５３）。次いで、ＣＰＵ２１は、図１８に示すように、通信機器１に表示される表示部１４でのＸ−Ｙ座標が記憶されたマーキング位置テーブル２２ｙから指定Ｎｏの文字パターンに対応するＸ−Ｙ座標を読み出し、表示された電子機器画像の対応位置に文字パターンを張り付け、当該文字パターンの着色を行う（ステップＳ５４）。なお、マーキング位置テーブル２２ｙは、マーキングが付されるキーＫのＸ−Ｙ座標が定められたものである。
次いで、ＣＰＵ２１は、指定Ｎｏが（４）になったか否かを判断する（ステップＳ５５）。ＣＰＵ２１は、指定Ｎｏが（４）になったと判断すれば（ステップＳ５５；ＹＥＳ）、名入れを終了し、キーＫの周囲に付されるマーキングのケース印刷データ５２を読み出す（ステップＳ５７）。ＣＰＵ２１は、指定Ｎｏが（４）ではないと判断すれば（ステップＳ５５；ＮＯ）、次の指定Ｎｏを指定し（ステップＳ５６）、ステップＳ５３に戻る。
【００９２】
ケース印刷データ５２には、アルファベットキーシフト後に機能する電子辞書データや特殊な文字・記号が設定されており、指定ＮｏＬ１−１には、「独和辞書」、機能色「赤」が設定されている。その他、指定ＮｏＬ２−８には、「？」、文字色「青」等が設定されている。ここで、機能を示すキーには「赤色」が、文字を示すキーには「青」が設定される。
【００９３】
次いで、ＣＰＵ２１は、指定Ｎｏの初期化（Ｌ１−１に設定）を行い（ステップＳ５７）、指定Ｎｏの文字パターンを読み出す（ステップＳ５９）。次いで、ＣＰＵ２１は、図１８に示すように、Ｘ−Ｙ座標が記憶されたマーキング位置テーブル２２ｙから指定Ｎｏの文字パターンに対応するＸ−Ｙ座標を読み出し、表示される電子機器画像画面上での対応位置に文字パターンを張り付け、当該文字パターンの飾り付け等を行う。次いで、ＣＰＵ２１は、各指定Ｎｏの文字パターンが機能キーとなるのか文字キーとなるのかを読み出す（ステップＳ６０）。次いで、ＣＰＵ２１は、読み出した文字パターンが文字か否かを判断する（ステップＳ６１）。文字パターンが文字キーとなるのであれば（ステップＳ６１；ＹＥＳ）、ＣＰＵ２１は、マーキング位置テーブル２２ｙの文字キーについてのＸ−Ｙ座標を指定し（ステップＳ６２）、文字パターンが機能キーとなるのであれば（ステップＳ６１；ＮＯ）、ＣＰＵ２１は、マーキング位置テーブル２２ｙの機能キーについてのＸ−Ｙ座標を指定する（ステップＳ６３）。
【００９４】
次いで、ＣＰＵ２１は、通信機器１に表示される画面上でのＸ−Ｙ座標が記憶されたマーキング位置テーブル２２ｙから指定Ｎｏの文字パターンに対応する文字か機能のいずれかについて指定されたＸ−Ｙ座標を読み出し、表示された電子機器画像の対応位置に文字パターンを張り付け、当該文字パターンの飾り付け等を行う（ステップＳ６４）。次いで、ＣＰＵ２１は、指定ＮｏがＬ３−１０になったか否かを判断する（ステップＳ６５）。ＣＰＵ２１は、指定ＮｏがＬ３−１０になったと判断すれば（ステップＳ６５；ＹＥＳ）、レーザーマーキング画像を印刷するときの印刷データに変換する（ステップＳ６７）。ＣＰＵ２１は、指定ＮｏがＬ３−１０ではないと判断すれば（ステップＳ６５；ＮＯ）、次の指定Ｎｏを指定し（ステップＳ６６）、ステップＳ５９に戻る。
【００９５】
次いで、ＣＰＵ２１は、電子辞書ハードウェアのうち、電子辞書キーをレーザーマーキングするためのキー印刷データの作成を行う（ステップＳ３５）。
ここで、具体例を挙げて、ケース印刷データの作成処理について図１９のフローチャートを用いて説明すると、ＣＰＵ２１は、図１７に示すようなメモリ２２に記憶されたマーキング内容テーブル２２ｘからキー印刷データ５１を読み出す（ステップＳ８１）。
【００９６】
次いで、ＣＰＵ２１は、指定Ｎｏの初期化（（１）に設定）を行い（ステップＳ８２）、指定Ｎｏの辞書名の文字パターンを読み出す（ステップＳ８３）。次いで、ＣＰＵ２１は、図１８に示すように、Ｘ−Ｙ座標が記憶されたマーキング位置テーブル２２ｙから指定Ｎｏの文字パターンに対応するＸ−Ｙ座標を読み出し、表示された電子機器画像の対応位置に文字パターンを張り付け、当該文字パターンの飾り付け等を行う（ステップＳ８４）。次いで、ＣＰＵ２１は、指定Ｎｏが（１０）になったか否かを判断する（ステップＳ８５）。ＣＰＵ２１は、指定Ｎｏが（１０）になったと判断すれば（ステップＳ８５；ＹＥＳ）、キー入力処理テーブルの作成処理を行う（ステップＳ３６）。ＣＰＵ２１は、指定Ｎｏが（１０）ではないと判断すれば（ステップＳ８５；ＮＯ）、次の指定Ｎｏを指定し（ステップＳ８６）、ステップＳ８３に戻る。
【００９７】
キー印刷データ５１には、７種類の電子辞書データが設定されており、「リ＊ダーズ」「新グロ＊バル」「仏和」「広＊苑」「特許」「漢＊源」「ことわざ」の順に指定Ｎｏ（１）〜（１０）が付されている。なお、指定Ｎｏ（８）〜（１０）は余剰のキーであるため、印刷されることはない。
【００９８】
次に、キー入力処理テーブルの作成処理、書き込みデータ一覧テーブルの作成処理について、図２３を用いて説明する。
ＣＰＵ２１は、マーキング内容テーブル２２ｘ及びマーキング位置テーブル２２ｙのデータに基づいて、キー入力処理テーブルを作成し、これらのデータをメモリ２２の製品情報エリア２２ｅに記憶させる。このとき、指定Ｎｏ（１）〜（１０）と辞書名データＸ−Ｙ座標とを対応付けて記憶させる。
【００９９】
ここで、製造支援サーバ２における工場での顧客に対応した電子辞書の生産指示処理について、図２４を用いて説明する。
図２４に示すように、製造支援サーバ２からの注文された電子辞書の情報に従い、ＣＰＵ２１は、辞書ケースにマーキング処理を施す指示を与える（ステップＳ９１）。
【０１００】
ＣＰＵ２１は、辞書ケースに対するマーキング処理の指示が与えられると、上記ケース印刷データに基づいて、まず、図２０に示す実物電子辞書上に設けられている「あ」「か」「さ」・・・などの一般の選択キーＫ１、ケースＫＳに対する周知なレーザー光線などを用いたマーキング処理が施される。上記ケース印刷データに基づいた実物電子辞書Ｄに対するマーキング処理の結果は、図２１に示す。なお、図２１から確認できるように、実物電子辞書ＤのケースＫＳ上には、「？」「〜」「設定」等のマーキング処理が施される。
次に、製造支援サーバ２からの注文された電子辞書の情報に従い、ＣＰＵ２１は、キーＫにマーキング処理を施す指示を与える（ステップＳ９２）。すると、ＣＰＵ２１は、辞書ケース上の選択キーＫ２、Ｋ３・・・に対するマーキング処理の指示が与えられると、上記ケース印刷データに基づいて、顧客により選択された選択キー４３ａ、４４ａ、４５ａ、４３ｂ、４４ｂ、４５ｂ・・・に付けられている選択キー名（例えば、「リ＊ダーズ」「新グロ＊バル」「漢＊源」）に対応した実物電子辞書Ｄの各選択キーＫ２、Ｋ３・・・の表面、すなわち上面にマーキング処理が施される。このため、図２２に示すようなものとなる。
図２２から確認できるように、電子辞書ハードウェアＤの選択キーＫ２、Ｋ３・・・上に「リ＊ダーズ」「新グロ＊バル」「漢＊源」等のマーキング処理が施される。なお、図２２における向かって左側のキー印刷データを実物電子辞書Ｄに重ねると、右側の図のようになる。
次いで、ＣＰＵ２１は、メモリ２２に記憶された書き込みデータ等を実物電子辞書Ｄ内の電子辞書記憶部Ｍに書き込む（ステップＳ９３）。
メモリ２２に記憶された書き込みデータが、例えば、「リ＊ダーズ」という選択キーの選択キー名を指定するためのデータであった場合には、この「リ＊ダーズ」という選択キーの選択キー名に対応する電子辞書データを実物電子辞書Ｄ内の電子辞書記憶部Ｍに書き込む。また、メモリ２２に記憶された書き込みデータが、例えば、「新グロ＊バル」という選択キーの選択キー名を指定するためのデータであった場合には、この「新グロ＊バル」という選択キーの選択キー名に対応する電子辞書データを実物電子辞書Ｄ内の電子辞書記憶部Ｍに書き込む。
次いで、ＣＰＵ２１は、生産した辞書を梱包し、注文した顧客の氏名・住所の送り状を添付する指示信号を出力する（ステップＳ９４）。次いで、ＣＰＵ２１は、担当者や管理者に発送するよう、管理サーバ等に指示信号を出力する（ステップＳ９５）。
【０１０１】
以上説明した第１の実施の形態における通信機器１及び製造支援サーバ２によれば、伝送制御部２５が通信機器１の表示部１４に表示されている電子辞書画像のキーボード内における各選択キーまたはアイコン表示に対する指定操作がなされたことに応答して、通信機器１から送信されてきた辞書名指定データを受信し、受信された辞書名指定データにより指定された辞書名に対応付けられている電子辞書データを辞書名と電子辞書データとを対応付けて複数組記憶しているメモリ２２から読み出す。更に、ＣＰＵ２１は、読み出された電子辞書データを電子辞書画像に対応する実物電子辞書Ｄ内に設けられている電子辞書記憶部Ｍに書き込み、他方、受信された辞書名指定データにより指定された辞書名を対応する実物電子辞書Ｄのキーの表面上にマーキング処理する。
【０１０２】
よって、顧客毎に実物電子辞書Ｄに求める機能が異なっても、顧客が表示部１４に表示されている電子辞書画像内における各選択キー４３ａ、４４ａ・・・を選択するだけで、選択された各キー操作名にそれぞれ対応した電子辞書データを実物電子辞書Ｄ内における電子辞書記録部Ｍに書き込むことができるとともに、選択された各キー操作名に対応したマーキング処理を実物電子辞書Ｄに設けられている各選択キーＫ２，Ｋ３−Ｋ１１に施すことができる。このため、顧客の意図した形で、実物電子辞書Ｄのハードウェアをカスタマイズすることができるので、電子辞書画像というソフト面に対応し実物電子辞書Ｄのハード面を容易に、且つ自動的にカスタマイズすることができる。
また、顧客が氏名を入力することにより、氏名入りのマーキング処理部Ｎを実物電子辞書Ｄにマーキング処理し製造することができる。
更に、顧客が選択した電子辞書ハードウェア及び辞書名指定データに応じて価格が算出されるので、顧客は実物電子辞書Ｄのカスタマイズをしながらその価格を知ることができることとなって、よりユーザーフレンドリーなサービスを提供できる。
また、顧客に、実物電子辞書Ｄと同様の電子機器画像を見せながらカスタマイズさせることができるので、製造される実物電子辞書Ｄをイメージしやすくなり、ユーザーフレンドリーなサービスを提供できる。
【０１０３】
〔第２の実施の形態〕
次に、本発明における第２の実施の形態について説明する。第２の実施の形態は、第１の実施の形態における選択キーの文字が日本語ベースの仕様であったことに対し、選択キーの文字を複数の言語の中から選択した外国語ベースとすることができるものである。
【０１０４】
本実施の形態における電子辞書のカスタマイズ処理について、図２５〜図３２を用いて説明する。
図２５、図２６に示すように、電子機器製造支援システム２００は、顧客が有する製造依頼元端末装置としての通信機器１１０と、電子辞書のメーカが有する電子機器製造支援装置としての製造支援サーバ１２０とがネットワーク１３０を介して接続されたシステムである。なお、第２の実施の形態における第１の実施の形態と異なる点が辞書の選択処理の部分であるため、本実施の形態ではその部分についてのみ説明する。
即ち、図２７（ａ）に示すように、製造支援サーバ１２０の記録媒体１２３の電子辞書データ記憶領域１２３ａには、複数の言語に対応した電子辞書データが記憶されている。
【０１０５】
具体的には、図２７（ｂ）に示すように、例えば、選択可能な言語は４種類設定されており、顧客がどの言語を自国語として選択するかによって電子辞書に書き込むことができる電子辞書データが異なる。
例えば、日本語を自国語として選択した場合、電子辞書に書き込むことができる辞書種類は、「自国語」、「英和」、「和英」、「和独」、「韓和」などである。そして、各辞書種類に対応した電子辞書データが記憶されている。例えば、「自国語」に対して「広＊苑」、「英和」に対して「リ＊ダーズ」、等である。
そして、ＣＰＵ１２１は、顧客が選択した自国語に基づいて、その自国語に対応する電子辞書データを電子辞書データ記憶領域１２３ａから読み込むようになっている。
また、記憶媒体１２３のキー配列データ記憶領域１２３ｄには、各言語に対応するキー配列データが記憶されている。
そして、ＣＰＵ１２１は、顧客が選択した自国語に基づいて、その自国語に対応する電子辞書データをキー配列データ記憶領域１２３ｄから読み込むようになっている。
【０１０６】
次に、本電子機器製造支援システムにおける電子辞書の選択およびキー印刷動作について図２８〜図３０を用いて説明する。
顧客がカスタマイズ辞書のホームページにアクセスする（ステップＳ２１０）。すると、ＣＰＵ１２１は、複数種類（この例では４種類）の言語を含む「カスタマイズ辞書ＨＰ」のホームページを表示部１１４に表示させる。
この後、顧客がそのホームページ上で使用言語を指定するために、「自国語」を選択操作すると（ステップＳ２１２）、選択した「自国語」の情報は、辞書ハードの選択情報とともに製造支援サーバ２に送信される（ステップＳ２１５）。製造支援サーバ１２０の伝送制御部１２５が、自国語の選択情報を受信すると、製造支援サーバ１２０のＣＰＵ１２１は、顧客が選択した「自国語」に対応したキー配列データを記憶媒体１２３のキー配列記憶領域１２３ｄから読み出して、マーキング内容テーブルエリア１２２ｘに書き込む。そして、キー配列データに従って、自国語に対応した文字がマーキングされるようにキー印刷データを作成する（ステップＳ２３５）。
なお、図２８、図２９に示すように、顧客による電子辞書のカスタマイズ処理のうち、ステップＳ２２５、Ｓ２２６以外の処理は第１の実施の形態と同様であるため、説明を省略し、ここでは、Ｓ２２５、Ｓ２２６について説明する。
【０１０７】
図３２（ａ）に示すように、まず、通信機器１１０のＣＰＵ１１１は、顧客が「自国語辞書」と表示されている選択キー１４３ａ（同図中、破線で示す）を選択操作したか否かを判断する（ステップＳ１０１）。ＣＰＵ１１１は、顧客が「自国語辞書」と表示されている選択キーを選択操作したと判断した場合（ステップＳ１０１；ＹＥＳ）には、同辞書内における次の電子辞書名（例えば、「広＊苑」）を指定し、この指定された辞書名指定データをＲＡＭ１１７の製造関連情報エリア１１７ｂに記憶させる。また、当該次の辞書に対応する辞書コンテンツを指定し、この指定された電子辞書データを同ＲＡＭ１１７の製造関連情報エリア１１７ｂに記憶させる。更に、当該次の辞書に対応するマーキング処理を指定し、この指定されたマーキング指定データを同ＲＡＭ１１７の製造関連情報エリア１１７ｂに記憶させる（ステップＳ１０１ａ）。
次に、ＣＰＵ１１１は、ステップＳ１０１において選択操作された次の電子辞書名に対応する選択キー名（例えば、「広＊苑」という選択キー名）が表示されている選択キー１４４ａの画像に更新する。またはステップＳ１０１において選択操作された電子辞書名が選択キーに表示された電子辞書画像（例えば、「広＊苑の電子辞書画像」）に更新する（ステップＳ１０１ｂ）。
【０１０８】
引き続いて、ＣＰＵ１１１は、顧客が更新された選択キー名（例えば、「広＊苑」という選択キー名）が表示されている選択キー１４４ａを選択操作したか否かを判断する（ステップＳ１０１）。ＣＰＵ１１１は、顧客が「自国語辞書」「広＊苑」と表示されている選択キー１４４ａを選択操作したと判断した場合（ステップＳ１０１；ＹＥＳ）には、同辞書内における更に次の電子辞書名（例えば、「学習＊辞典」）を指定し、この指定された辞書指定データをＲＡＭ１１７の製造関連情報エリア１１７ｂに記憶させる。また、当該次の辞書に対応する辞書コンテンツを指定し、この指定された電子辞書データを同ＲＡＭ１１７の製造関連情報エリア１１７ｂに記憶させる。更に、当該次の辞書に対応するマーキング処理を指定し、この指定されたマーキング指定データを同ＲＡＭ１１７の製造関連情報エリア１１７ｂに記憶させる（ステップＳ１０１ａ）。
【０１０９】
引き続いて、ＣＰＵ１１１は、ステップＳ１０１において選択操作された次の電子辞書名に対応する選択キー名（例えば、「学習＊辞典」という選択キー名）に更新する。またはステップＳ１０１において選択操作された電子辞書名が選択キーに表示された電子辞書画像（例えば、学習＊辞典の電子辞書画像））に更新する（ステップＳ１０１ｂ）。
このようにして「自国語辞書」と表示されている選択キーが選択操作される都度、「自国語辞書」という辞書内における次の電子辞書名に対応する辞書指定データ、対応する辞書コンテンツ指定データ、および、対応するマーキング指定データをＲＡＭ１１７の製造関連情報エリア１１７ｂに記憶させる一方で、選択操作された次の電子辞書名に対応する選択キー名または選択操作された電子辞書名が選択キーに表示された電子辞書画像に更新する（ステップＳ１０１、Ｓ１０１ａ、Ｓ１０１ｂ）。この結果、「広＊苑」、「学習＊辞典」等のいずれかの種類の電子辞書を切り換えながら表示させることができる。
【０１１０】
一方、ＣＰＵ１１１は、顧客が「自国語辞書」と表示されている選択キー１４３ａを選択操作しないで、「英和辞書」と表示されている選択キー１４３ａを選択操作したと判断した場合（ステップＳ１０２；ＹＥＳ）には、同辞書内における次の電子辞書名（例えば、「リ＊ダーズ」）を指定し、この指定された辞書指定データをＲＡＭ１１７の製造関連情報エリア１１７ｂに記憶させる。また、当該次の辞書に対応する辞書コンテンツを指定し、この指定された電子辞書データを同ＲＡＭ１１７の製造関連情報エリア１１７ｂに記憶させる。更に、当該次の辞書に対応するマーキング処理を指定し、この指定されたマーキング指定データを同ＲＡＭ１１７の製造関連情報エリア１１７ｂに記憶させる（ステップＳ１０２ａ）。
次に、ＣＰＵ１１１は、ステップＳ１０２において選択操作された次の電子辞書名に対応する選択キー名（例えば、「リ＊ダーズ」という選択キー名）に更新する。またはステップＳ１０２において選択操作された電子辞書名が選択キーに表示された電子辞書画像（例えば、「リ＊ダーズの電子辞書画像」）に更新する（ステップＳ１０２ｂ）。
【０１１１】
引き続いて、ＣＰＵ１１１は、顧客が更新された選択キー名（例えば、「リ＊ダーズ」という選択キー名）と表示されている選択キー１４３ａを選択操作したか否かを判断する（ステップＳ１０２）。ＣＰＵ１１１は、顧客が「英和辞書」と表示されている選択キー１４３ａを選択操作したと判断した場合（ステップＳ１０２；ＹＥＳ）には、同辞書内における更に次の電子辞書名（例えば、「グ＊ンドコンサイス」）を指定し、この指定された辞書名指定データをＲＡＭ１１７の製造関連情報エリア１１７ｂに記憶させる。また、当該次の辞書に対応する辞書コンテンツを指定し、この指定された電子辞書データを同ＲＡＭ１１７の製造関連情報エリア１１７ｂに記憶させる。更に、当該次の辞書に対応するマーキング処理を指定し、この指定されたマーキング指定データを同ＲＡＭ１１７の製造関連情報エリア１１７ｂに記憶させる（ステップＳ１０２ａ）。
【０１１２】
引き続いて、ＣＰＵ１１１は、ステップＳ１０２において選択操作された次の電子辞書名に対応する選択キー名（例えば、「グ＊ンドコンサイス」という選択キー名）に更新する。またはステップＳ１０２において選択操作された電子辞書名が選択キーに表示された電子辞書画像（例えば、グ＊ンドコンサイスの電子辞書画像）に更新する（ステップＳ１０２ｂ）。
このようにして「英和辞書」と表示されている選択キーが選択操作される都度、「英和辞書」という辞書内における次の電子辞書名に対応する辞書名指定データ、対応する電子辞書データ、および、対応するマーキング指定データをＲＡＭ１１７の製造関連情報エリア１１７ｂに記憶させる一方で、選択操作された次の電子辞書名に対応する選択キー名または選択操作された電子辞書名が選択キーに表示された電子辞書画像に更新する（ステップＳ１０２、Ｓ１０２ａ、Ｓ１０２ｂ）。この結果、「リ＊ダーズ」、「グ＊ンドコンサイス」、「ジ＊ーニアス」、「新グロ＊ーバル」等のいずれかの種類の電子辞書を切り換えながら表示させることができる。
【０１１３】
以下、「和英辞書」、「独和辞書」、「和独辞書」、「韓和辞書」の順に上記手順をステップＳ１０７において、「ＯＫキー」が顧客により操作されるまで繰り返し（ステップＳ１０３〜Ｓ１０６）、選択された種類の電子辞書の情報を製造関連情報エリア１１７ｂに記憶する。
【０１１４】
次に、ＣＰＵ１１１は、ステップＳ１０７において、「ＯＫキー」が顧客により操作されると判断されると、表示部１１４に搭載可能な電子辞書データのメニュー内容を表示する（ステップＳ１０８）。
次に、ＣＰＵ１１１は、製造関連情報エリア１１７ｂに記憶されている辞書名指定データ、電子辞書データ、および、マーキング指定データを製造支援サーバ１２０へ送信する（ステップＳ１０９）。すると、製造支援サーバ１２０は、送信された辞書名指定データ、電子辞書データ、および、マーキング指定データを伝送制御部１２５により受信し、ＣＰＵ１２１がメモリ１２２の注文情報エリア１２２ｃ及びマーキング内容テーブルエリア１２２ｘ内の所定の格納領域に記憶させる（ステップＳ１１０）。
次いで、製造支援サーバ１２０側のＣＰＵ１２１は、送信された辞書名指定データにより指定された電子辞書名をＲＯＭから読み出しこの読み出された電子辞書名が選択キーに表示された電子辞書画像に更新して（ステップＳ１１１）、更新された電子辞書画像を通信機器１１０に送信する（ステップＳ１１２）。通信機器１１０は、更新された電子辞書画像を受信し（ステップＳ１１３）、表示部１１４に表示する（ステップＳ１１４）。
【０１１５】
ここで、具体的な表示例を挙げて説明すると、通信機器１１０が製造支援サーバ１２０からカスタマイズ辞書ホームページ情報を受信すると、画面には図３１（ａ）に示すような第１の表示画面８１がなされる。第１の表示画面８１には、「あなたの希望どおりの辞書データを内蔵したカスタマイズ辞書を工場でお作りし、１週間でお届けします。」というような案内表示８１ａと、「カスタマイズ辞書を作ってみる」というカスタマイズ辞書の仕様を設定する設定開始アイコン表示部８１ｂが表示される。
この第１の表示画面８１ｂには、顧客が選択した辞書の種類をはじめとして、搭載可能な辞書の種類、例えば、自国語辞書、英和辞書、和英辞書、独和辞書、和独辞書、韓和辞書等の電子辞書データ一覧表８１ｄが表示される。
顧客が設定開始アイコン表示８１ｂをマウスポインタＰでクリックすると、画面の表示が切り替わり、図３１（ｂ）に示すように、電子辞書ハードウェアの選択を行う第２の表示画面８２がなされる。
【０１１６】
各辞書の中には、複数種の辞書名が表示され、顧客に搭載可能な辞書名を公開している。例えば、自国語辞書の中には、「広＊苑」、「学習＊辞典」等がある。この自国語辞書内の辞書名は、顧客が選択した自国語によって表示される辞書名が変化する。
また、電子辞書データ一覧表８２ａには、辞書の種類と並んで電子辞書ハードウェアの種類、例えば、「大画面・大型キーボード」、「コンパクト表示・キーボード」、「音声付大画面・大型キーボード」等があり、各ハードウェアのタイプの先頭に設けられた選択ボタン８２ｂをクリックすることにより、電子辞書ハードウェアのタイプの選択が行われる。図３１（ｂ）においては、電子辞書ハードウェアのタイプは、「音声付大画面・大型キーボード」が選択されている。
【０１１７】
また、キー配列・標準メニューは、日本語をベースに作成されているため、通常は、図３２（ａ）に示すように、キーには「あ、か、さ、た、な、・・・」がレーザーマーキングされるが、製造支援サーバ１２０のＣＰＵ１２１は、顧客が「自国語」として、例えば、韓国語を選択した場合には、記憶媒体１２３のキー配列記憶領域１２３ｄから、韓国語に対応したキー配列データを読み出すとともに、当該配列データに従って、図３２（ｂ）に示すように、ハングル文字がマーキングされるようにキー印刷データを作成する。
【０１１８】
以上説明した第２の実施の形態における通信機器１１０及び製造支援サーバ１２０によれば、図３１（ａ）に示すように、顧客にホームページ上で複数種類の言語の内から一つの自国語を選択させ、選択させた自国語に基づいて電子辞書のキー印刷データ、ケース印刷データを作成するので、使用する言語がまちまちの製造依頼元に対しても、個々の製造依頼元に適合した言語を用いた複数の辞書名が表示されているアイコン表示を備えている電子機器画像を表示させることができるので、カスタマイズされた電子辞書の実際の内容を容易に確認することができることとなって、カスタマイズされた電子辞書の製造を安心して注文することができる。
【０１１９】
なお、この実施の形態では、電子事典、電子辞典などを含む電子辞書を製造支援するための装置またはシステムに、この発明を適用した場合について説明しているが、携帯電話、パソコン、電子時計、電子手帳などを含む各種の電子機器全般にこの発明は適用可能である。
また、本発明は上記実施の形態に限定されるものではない。例えば、搭載する辞書名データは任意であって、メーカ側で自由に設定してもよい。また、ホームページのデザイン、データ処理の順序等、発明の要旨を逸脱しない範囲内であれば変更が可能である。
【０１２０】
【発明の効果】
請求項１に記載の発明によれば、受信手段がネットワーク上に表示される電子機器画像のキーボードを構成する複数の選択キーのいずれかが製造依頼元端末にて操作されたことに応答して、当該選択キーの表面上に順次切換表示されたキー操作名を受信する。そして、コンテンツ書き込み制御手段が、受信手段により受信されたキー操作名に対応して予め用意されているコンテンツデータを電子機器画像に対応する実物電子機器内に設けられているコンテンツ記憶部へ書き込む。更に、マーキング処理手段が受信手段により受信されたキー操作名に対応する実物電子機器における選択キーの表面上に該当するキー操作名をマーキング処理する。
よって、顧客毎に電子機器に求める機能が異なっても、顧客がキー操作名を選択するだけで選択されるコンテンツデータに応じて電子機器のハードウェアをカスタマイズすることができるので、電子機器のソフト面とハード面とを容易に、且つ自動的にカスタマイズすることができる。
【０１２１】
請求項２に記載の発明によれば、位置座標データ記憶手段は、電子機器画像におけるキーボードの選択キーと実物電子機器の位置座標データとを対応付けて記憶し、文字パターンデータ記憶手段は、キー操作名と当該キー操作名の文字パターンデータとを対応付けて記憶している。そして、マーキング処理手段によるマーキング処理は、文字パターンデータ読み出し手段が受信手段により受信されたキー操作名に対応する文字パターンデータを文字パターンデータ記憶手段から読み出し、位置座標データ読み出し手段が受信手段により受信されたキー操作名をマーキングする選択キーの位置座標データを位置座標データ記憶手段から読み出す。更に、マーキングデータ作成手段が、文字パターンデータ読み出し手段により読み出された文字パターンデータと位置座標データ読み出し手段により読み出された位置座標データとに基づいてマーキングデータを作成する。
よって、請求項１に記載の発明と同様の効果が得られることは無論のこと、電子機器のハードウェアのマーキングを正確に行うことができる。
【０１２２】
請求項３に記載の発明によれば、受信手段が製造依頼元端末の表示部またはネットワーク上に表示される電子機器画像のキーボード内における複数のキー操作に対する指定操作に応答して、製造依頼元端末から送信されてくるキー操作名指定用の指定データを受信する。この受信手段により受信された指定データにより指定されたキー操作名に対応付けられているコンテンツデータをキー操作名とこのキー操作名に対応するコンテンツデータとを対応付けて複数組記憶している記憶手段から読み出す。そして、書き込み手段が読み出されたコンテンツデータを電子機器画像に対応する実物電子機器内に設けられているコンテンツ記憶部に書き込み、マーキング処理手段が受信手段により受信された指定データにより指定されたキー操作名を対応する実物電子機器の選択キーの表面上にマーキング処理する。
よって、顧客毎に電子機器に求める機能が異なっても、顧客によるキー操作に対する指定操作によって選択されるコンテンツデータに応じて電子機器のハードウェアをカスタマイズすることができるので、電子機器のソフト面とハード面とを容易に、且つ自動的にカスタマイズすることができる。
【０１２３】
請求項４に記載の発明によれば、文字パターンデータ読み出し手段が、受信手段により受信された指定データにより指定されたキー操作名に対応する文字パターンデータをキー操作名と当該キー操作名をマーキングするための文字パターンデータとを対応付けて記憶している文字パターンデータ記憶手段から読み出す。そして、位置座標データ読み出し手段が、受信手段により受信された指定データにより指定されたキー操作名をマーキングする選択キーの位置座標データを電子機器画像におけるキーボードの選択キーと実物電子機器の位置座標データとを対応付けて記憶している前記位置座標データ記憶手段から読み出す。更に、マーキングデータ作成手段が、文字パターンデータ読み出し手段により読み出された文字パターンデータと位置座標データ読み出し手段により読み出された位置座標データとに基づいてマーキングデータを作成する。
よって、請求項３に記載の発明と同様の効果が得られることは無論のこと、特に、電子機器のハードウェアのマーキングを正確に行うことができる。
【０１２４】
請求項５に記載の発明によれば、キー入力処理テーブル作成手段が、選択キーと、選択キーにマーキングされたキー操作名に対応するコンテンツデータとを対応付けたキー入力処理テーブルを作成して、コンテンツ記憶部に記憶させる。
よって、これにより、カスタマイズされたソフトウェアとハードウェアとの対応付けを容易且つ自動的に行うことができる。
【０１２５】
請求項６に記載の発明によれば、電子機器画像作成手段が製造依頼元端末にて選択されて送信された電子機器ハードウェア選択データに対応する電子機器画像を作成し、送信手段が作成された電子機器画像を製造依頼元端末に送信する。
よって、顧客に、実物の電子機器と同様の電子機器画像を見せながらカスタマイズさせることができるので、製造される電子機器をイメージしやすくなり、ユーザーフレンドリーなサービスを提供できる。
【０１２６】
請求項７に記載の発明によれば、単価読み出し手段が、受信された電子機器ハードウェア選択データに対応する電子機器ハードウェアの単価を、電子機器ハードウェア名と当該電子機器ハードウェアの単価とが対応付けられて記憶されている第１の単価記憶手段から読み出すとともに、受信されたキー操作名に対応するコンテンツデータの単価を、キー操作名と当該キー操作名に対応するコンテンツデータの単価とが対応付けられて記憶されている第２の単価記憶手段から読み出す。そして、価格算出手段が、読み出された単価に基づいて当該電子機器の価格を算出し、価格送信手段が、算出された価格を製造依頼元端末に送信する。
よって、顧客は電子機器のカスタマイズをしながらその価格を知ることができるので、よりユーザーフレンドリーなサービスを提供できる。
【０１２７】
請求項８に記載の発明によれば、課金手段が価格算出手段により算出された価格を課金するので、顧客は電子辞書に対する金銭の支払いを容易なものとすることができる。
【０１２８】
請求項９に記載の発明によれば、受信手段が製造依頼元端末の表示部に表示されている電子辞書画像のキーボード内における各辞書名選択キーに対する指定操作がなされたことに応答して、製造依頼元端末から送信されてきた辞書名指定データを受信し、受信された辞書名指定データにより指定された辞書名に対応付けられている電子辞書データを辞書名と電子辞書データとを対応付けて複数組記憶している記憶手段から読み出す。更に、書き込み制御手段が、読み出された電子辞書データを電子辞書画像に対応する実物電子辞書内に設けられている電子辞書記憶部に書き込み、マーキング処理手段が、受信手段により受信された辞書名指定データにより指定された辞書名を対応する実物電子辞書の選択キーの表面上にマーキング処理する。
よって、顧客毎に電子機器に求める機能が異なっても、顧客が辞書名選択キーを選択するだけで選択されるコンテンツデータに応じて電子機器のハードウェアをカスタマイズすることができるので、電子機器のソフト面とハード面とを容易に、且つ自動的にカスタマイズすることができる。
【０１２９】
請求項１０に記載の発明によれば、氏名データ受信手段が製造依頼元端末から送信されてきた氏名データを受信し、氏名マーキング処理手段が氏名データを実物電子機器の表面上にマーキング処理する。
よって、氏名入りの電子機器を製造することができ、他人の電子機器との識別力を発揮できる。
【０１３０】
請求項１１に記載の発明によれば、第１の表示制御手段が、複数のキー操作名が表示されている選択キーを備えている電子機器画像を表示させ、第２の表示制御手段が、表示されている複数の選択キーのいずれかが指定操作される都度、当該指定操作された選択キーの表面に表示されるキー操作名を他のキー操作名へ順次切り換え、この切り換えされた他のキー操作名を表示させる。そして、送信手段が切り換え表示されたキー操作名を電子機器製造支援装置に向けて送信し、受信手段が、電子機器製造支援装置から当該送信されたキー操作名に対応する選択キーを備えている電子機器画像または当該電子機器画像に対応する実物電子機器に関する製造関連情報を受信する。
よって、製造依頼元においては、電子機器画像に表示されたキー操作名を順次指定するだけで、電子機器製造支援装置から当該送信されたキー操作名に対応する選択キーを備えている電子機器画像または当該電子機器画像に対応する実物電子機器に関する製造関連情報を受信することができるので、カスタマイズされた電子機器の実際の内容を容易に確認することができることとなって、製造依頼元側は簡単にしかも安心してカスタマイズ電子機器の製造を注文することができる。
【０１３１】
請求項１２に記載の発明によれば、第１の表示制御手段が、複数種類の言語を表示させ、言語指定手段が複数種類の言語のなかから使用しようとする使用言語を指定し、第２の表示制御手段が、指定された使用言語を用いた複数のキー操作名が表示されている選択キーを備えている電子機器画像を表示させ、第３の表示制御手段が、表示されている複数の選択キーのいずれかが指定操作される都度、当該指定操作された選択キーの表面に表示されるキー操作名を他のキー操作名へ順次切り換え、この切り換えされた他のキー操作名を表示させる。そして、送信手段が切り換え表示されたキー操作名を電子機器製造支援装置に向けて送信し、受信手段が、電子機器製造支援装置から当該送信されたキー操作名に対応する選択キーを備えている実物電子機器に関する製造関連情報を受信する。
よって、使用する言語がまちまちの製造依頼元に対しても、個々の製造依頼元に適合した言語を用いた複数のキー操作名が表示されている選択キーを備えている電子機器画像を表示させることができるので、カスタマイズされた電子機器の実際の内容を容易に確認することができることとなって、カスタマイズされた電子機器の製造を安心して注文することができる。
【０１３２】
請求項１３に記載の発明によれば、受信機能がネットワーク上に表示される電子機器画像のキーボードを構成する複数の選択キーのいずれかが製造依頼元端末にて操作されたことに応答して、当該選択キーの表面上に順次切換表示されたキー操作名を受信する。そして、コンテンツ書き込み制御機能が、受信機能により受信されたキー操作名に対応して予め用意されているコンテンツデータを電子機器画像に対応する実物電子機器内に設けられているコンテンツ記憶部へ書き込む。更に、マーキング処理機能が受信機能により受信されたキー操作名に対応する実物電子機器における選択キーの表面上に該当するキー操作名をマーキング処理する。
よって、顧客毎に電子機器に求める機能が異なっても、選択されるコンテンツデータに応じて電子機器のハードウェアをカスタマイズすることができるので、電子機器のソフト面とハード面とを容易に、且つ自動的にカスタマイズすることができる。
【０１３３】
請求項１４に記載の発明によれば、受信機能が製造依頼元端末の表示部またはネットワーク上に表示される電子機器画像のキーボード内における複数のキー操作に対する指定操作に応答して、製造依頼元端末から送信されてくるキー操作名指定用の指定データを受信する。この受信機能により受信された指定データにより指定されたキー操作名に対応付けられているコンテンツデータをキー操作名とこのキー操作名に対応するコンテンツデータとを対応付けて複数組記憶している記憶手段から読み出す。そして、書き込み制御機能が読み出されたコンテンツデータを電子機器画像に対応する実物電子機器内に設けられているコンテンツ記憶部に書き込み、マーキング処理機能が受信機能により受信された指定データにより指定されたキー操作名を対応する実物電子機器の選択キーの表面上にマーキング処理する。
よって、顧客毎に電子機器に求める機能が異なっても、選択されるコンテンツデータに応じて電子機器のハードウェアをカスタマイズすることができるので、電子機器のソフト面とハード面とを容易に、且つ自動的にカスタマイズすることができる。
【０１３４】
請求項１５に記載の発明によれば、受信機能が製造依頼元端末の表示部に表示されている電子辞書画像のキーボード内における各辞書名選択キーに対する指定操作がなされたことに応答して、製造依頼元端末から送信されてきた辞書名指定データを受信し、受信された辞書名指定データにより指定された辞書名に対応付けられている電子辞書データを辞書名と電子辞書データとを対応付けて複数組記憶している記憶手段から読み出す。更に、書き込み制御機能が、読み出された電子辞書データを電子辞書画像に対応する実物電子辞書内に設けられている電子辞書記憶部に書き込み、マーキング処理機能が、受信機能により受信された辞書名指定データにより指定された辞書名を対応する実物電子辞書の選択キーの表面上にマーキング処理する。
よって、顧客毎に電子機器に求める機能が異なっても、選択されるコンテンツデータに応じて電子機器のハードウェアをカスタマイズすることができるので、電子機器のソフト面とハード面とを容易に、且つ自動的にカスタマイズすることができる。
【０１３５】
請求項１６に記載の発明によれば、第１の表示制御機能が、複数のキー操作名が表示されている選択キーを備えている電子機器画像を表示させ、第２の表示制御機能が、表示されている複数の選択キーのいずれかが指定操作される都度、当該指定操作された選択キーの表面に表示されるキー操作名を他のキー操作名へ順次切り換え、この切り換えされた他のキー操作名を表示させる。そして、送信機能が切り換え表示されたキー操作名を電子機器製造支援装置に向けて送信し、受信機能が、電子機器製造支援装置から当該送信されたキー操作名に対応する選択キーを備えている電子機器画像または当該電子機器画像に対応する実物電子機器に関する製造関連情報を受信する。
よって、製造依頼元においては、電子機器画像に表示されたキー操作名を順次指定するだけで、電子機器製造支援装置から当該送信されたキー操作名に対応する選択キーを備えている電子機器画像または当該電子機器画像に対応する実物電子機器に関する製造関連情報を受信することができるので、カスタマイズされた電子機器の実際の内容を容易に確認することができることとなって、製造依頼元側は簡単にしかも安心してカスタマイズ電子機器の製造を注文することができる。
【０１３６】
請求項１７に記載の発明によれば、第１の表示制御機能が、複数種類の言語を表示させ、言語指定機能が複数種類の言語のなかから使用しようとする使用言語を指定し、第２の表示制御機能が、指定された使用言語を用いた複数のキー操作名が表示されている選択キーを備えている電子機器画像を表示させ、第３の表示制御機能が、表示されている複数の選択キーのいずれかが指定操作される都度、当該指定操作された選択キーの表面に表示されるキー操作名を他のキー操作名へ順次切り換え、この切り換えされた他のキー操作名を表示させる。そして、送信機能が切り換え表示されたキー操作名を電子機器製造支援装置に向けて送信し、受信機能が、電子機器製造支援装置から当該送信されたキー操作名に対応する選択キーを備えている実物電子機器に関する製造関連情報を受信する。
よって、使用する言語がまちまちの製造依頼元に対しても、個々の製造依頼元に適合した言語を用いた複数のキー操作名が表示されている選択キーを備えている電子機器画像を表示させることができるので、カスタマイズされた電子機器の実際の内容を容易に確認することができることとなって、カスタマイズされた電子機器の製造を安心して注文することができる。
【図面の簡単な説明】
【図１】本発明の第１の実施の形態における電子機器製造支援システムの概略図である。
【図２】本発明の第１の実施の形態における製造支援サーバのブロック図である。
【図３】本発明の第１の実施の形態における通信機器のブロック図である。
【図４】本発明の第１の実施の形態における実物電子辞書の概略図である。
【図５】本発明の第１の実施の形態における記録媒体内の構成の説明図である。
【図６】本発明の第１の実施の形態における電子辞書の注文の流れを説明するフローチャートである。
【図７】本発明の第１の実施の形態におけるカスタマイズ選択処理を説明するフローチャートである。
【図８】本発明の第１の実施の形態におけるカスタマイズ選択処理を説明するフローチャートである。
【図９】本発明の第１の実施の形態における辞書の選択処理を説明するフローチャートである。
【図１０】本発明の第１の実施の形態における通信機器の表示部の表示例であり、（ａ）はホームページのメインページを示す図、（ｂ）はメインページで設定開始アイコン表示をクリックしたときの表示例である。
【図１１】本発明の第１の実施の形態における英和辞書選択時の通信機器の表示部の表示例である。
【図１２】本発明の第１の実施の形態における他国語辞書選択時の通信機器の表示部の表示例である。
【図１３】本発明の第１の実施の形態におけるおまけ辞書選択時の通信機器の表示部の表示例である。
【図１４】本発明の第１の実施の形態における電子辞書の注文時の通信機器の表示部の表示例である。
【図１５】本発明の第１の実施の形態におけるレーザーマーキングのケース印刷データ作成処理を説明するフローチャートである。
【図１６】本発明の第１の実施の形態におけるレーザーマーキングのケース印刷データ作成処理を説明するフローチャートである。
【図１７】本発明の第１の実施の形態におけるマーキング内容テーブルを説明する図である。
【図１８】本発明の第１の実施の形態におけるマーキング位置テーブルを説明する図である。
【図１９】本発明の第１の実施の形態におけるレーザーマーキングのキー印刷データ作成処理を説明するフローチャートである。
【図２０】本発明の第１の実施の形態におけるレーザーマーキングによる通常のケース印刷・キー印刷の例を示す図である。
【図２１】本発明の第１の実施の形態におけるレーザーマーキングによるケース印刷・キー印刷の例を示す図である。
【図２２】本発明の第１の実施の形態におけるレーザーマーキングによる辞書選択用キー印刷の例を示す図である。
【図２３】本発明の第１の実施の形態における電子辞書への書き込みデータを示す図である。
【図２４】本発明の第１の実施の形態における電子辞書の生産指示を示すフローチャートである。
【図２５】本発明の第２の実施の形態における製造支援サーバのブロック図である。
【図２６】本発明の第２の実施の形態における通信機器のブロック図である。
【図２７】本発明の第２の実施の形態における記録媒体内の構成を説明する図であり、（ａ）は領域を説明する図、（ｂ）は電子辞書データの記録領域の詳細を説明する図である。
【図２８】本発明の第２の実施の形態におけるカスタマイズ選択処理を説明するフローチャートである。
【図２９】本発明の第２の実施の形態におけるカスタマイズ選択処理を説明するフローチャートである。
【図３０】本発明の第２の実施の形態における辞書の選択処理を説明するフローチャートである。
【図３１】本発明の第２の実施の形態における通信機器の表示部の表示例であり、（ａ）はホームページのメインページを示す図、（ｂ）はメインページで設定開始アイコン表示をクリックしたときの表示例である。
【図３２】本発明の第２の実施の形態におけるレーザーマーキングによる辞書選択用キー印刷の例を示す図であり、（ａ）は自国語が日本語の場合の図、（ｂ）は自国語がハングル語の場合の図である。
【符号の説明】
１      通信機器（製造依頼元端末）
２      製造支援サーバ（電子機器製造支援装置）
３      ネットワーク
２５    伝送制御部（受信手段、価格送信手段、氏名データ受信手段）
Ｄ      電子辞書（実物電子機器）
Ｍ      電子辞書記憶部（コンテンツ記憶部）
１１    ＣＰＵ（第１の表示制御手段、第２の表示制御手段、第３の表示制御手段、言語指定手段）
２１    ＣＰＵ（コンテンツ書き込み手段、マーキング処理手段、文字パターンデータ読み出し手段、位置座標データ読み出し手段、マーキングデータ作成手段、キー入力テーブル処理手段、電子機器画像作成手段、単価読み出し手段、価格算出手段、課金手段、氏名マーキング処理手段）
２３    記録媒体（位置座標データ記憶手段、文字パターンデータ記憶手段、第１の単価記憶手段、第２の単価記憶手段）
【図１】
2004246396.tif 000003
【図２】
2004246396.tif 000004
【図３】
2004246396.tif 000005
【図４】
2004246396.tif 000006
【図５】
2004246396.tif 000007
【図６】
2004246396.tif 000008
【図７】
2004246396.tif 000009
【図８】
2004246396.tif 000010
【図９】
2004246396.tif 000011
【図１０】
2004246396.tif 000012
【図１１】
2004246396.tif 000013
【図１２】
2004246396.tif 000014
【図１３】
2004246396.tif 000015
【図１４】
2004246396.tif 000016
【図１５】
2004246396.tif 000017
【図１６】
2004246396.tif 000018
【図１７】
2004246396.tif 000019
【図１８】
2004246396.tif 000020
【図１９】
2004246396.tif 000021
【図２０】
2004246396.tif 000022
【図２１】
2004246396.tif 000023
【図２２】
2004246396.tif 000024
【図２３】
2004246396.tif 000025
【図２４】
2004246396.tif 000026
【図２５】
2004246396.tif 000027
【図２６】
2004246396.tif 000028
【図２７】
2004246396.tif 000029
【図２８】
2004246396.tif 000030
【図２９】
2004246396.tif 000031
【図３０】
2004246396.tif 000032
【図３１】
2004246396.tif 000033
【図３２】
2004246396.tif 000034